(57)【要約】      （修正有）【課題】チャネル推定を拡張するための装置および技法を提供する。【解決手段】通信システム５００において、デバイス５０２、５０４は、パイロット密度が送信期間内で経時的に異なるパイロット構造を決定するように構成された処理回路と、処理回路に結合され、パイロット構造の表示を送信するように構成された通信インターフェースとを含む。デバイスは、パイロット密度が経時的に異なるパイロット構造を指定することができる。デバイスは、チャネル推定のために前の送信時間間隔(TTI)からのパイロットが使用され得ることを示すことができる。デバイスは、バンドリング情報シグナリングを用いた周波数領域物理リソースブロック(PRB)バンドリングを採用することができる。さらに、デバイスは、スループット最適化のために調整可能なトラフィック対パイロット比(TPR)を使用することができる。【選択図】図５
2019092210.tif 000002
【特許請求の範囲】
【請求項１】
通信のための装置であって、
パイロット密度が送信期間内で経時的に異なるパイロット構造を決定するように構成された処理回路と、
前記処理回路に結合され、前記パイロット構造の表示を送信するように構成された通信インターフェースと
を含む、装置。
【請求項２】
前記送信期間の始端における前記パイロット密度が、前記送信期間の後の部分における前記パイロット密度よりも高い、請求項1に記載の装置。
【請求項３】
前記パイロット密度が、前記送信期間内の異なる送信時間間隔(TTI)によって異なる、請求項1に記載の装置。
【請求項４】
前記パイロット密度が、前記送信期間の間の周波数に関してさらに異なる、請求項1に記載の装置。
【請求項５】
前記パイロット密度が、前記送信期間の間の送信電力に関してさらに異なる、請求項1に記載の装置。
【請求項６】
前記送信期間がトラフィックバーストに対応する、請求項1に記載の装置。
【請求項７】
前記処理回路が、
ビーム形成構成を変更し、
前記変更の結果として前記パイロット構造を決定する
ようにさらに構成される、請求項1に記載の装置。
【請求項８】
前記パイロット構造が復調基準信号(DMRS)のためである、請求項1に記載の装置。
【請求項９】
前記処理回路が、特定のパイロット構造が連続送信時間間隔(TTI)に関して指定されていると決定するようにさらに構成され、
前記通信インターフェースが、チャネル推定のために前のTTIからのパイロットが使用され得るという表示を送信することであって、チャネル推定のために前のTTIからのパイロットが使用され得るという前記表示が、特定のパイロット構造が連続TTIに関して指定されているという決定の結果として送信される、送信することを行うようにさらに構成される
請求項1に記載の装置。
【請求項１０】
前記処理回路が、少なくとも1つの物理リソースブロック(PRB)を含むPRBバンドルを特定するようにさらに構成され、
前記処理回路が、前記特定されたPRBバンドルに基づいて別のパイロット構造を選択するようにさらに構成され、
前記通信インターフェースが、前記選択された別のパイロット構造の表示を送信するようにさらに構成される
請求項1に記載の装置。
【請求項１１】
前記別のパイロット構造を選択するために、前記処理回路が、前記PRBバンドルの帯域幅に基づいてパイロットに関する間隔を選択するようにさらに構成される、請求項10に記載の装置。
【請求項１２】
前記選択された別のパイロット構造の前記表示が、プリコーディング行列インジケータ(PMI)を含む、請求項10に記載の装置。
【請求項１３】
前記選択された別のパイロット構造の前記表示が、近傍リソースブロック(RB)PMI間の差異を示す、請求項10に記載の装置。
【請求項１４】
前記処理回路が、復調基準信号(DMRS)に関するトラフィック対パイロット比(TPR)を決定するようにさらに構成され、
前記通信インターフェースが、前記TPRの表示を送信するようにさらに構成される
請求項1に記載の装置。
【請求項１５】
前記TPRが、変調およびコーディング方式(MCS)、ランク、またはレートのうちの少なくとも1つまたは複数に基づいて決定される、請求項14に記載の装置。
【請求項１６】
通信の方法であって、
パイロット密度が送信期間内で経時的に異なるパイロット構造を決定するステップと、
前記パイロット構造の表示を送信するステップと
を含む、方法。
【請求項１７】
前記送信期間の始端における前記パイロット密度が、前記送信期間の後の部分における前記パイロット密度よりも高い、請求項16に記載の方法。
【請求項１８】
前記パイロット密度が、前記送信期間内の異なる送信時間間隔(TTI)によって異なる、請求項16に記載の方法。
【請求項１９】
前記パイロット密度が周波数または送信電力のうちの少なくとも1つまたは複数に関する、請求項16に記載の方法。
【請求項２０】
ビーム形成構成を変更するステップ
をさらに含み、
前記変更の結果として前記パイロット構造が決定される
請求項16に記載の方法。
【請求項２１】
前記パイロット構造が復調基準信号(DMRS)のためである、請求項16に記載の方法。
【請求項２２】
特定のパイロット構造が連続送信時間間隔(TTI)に関して指定されていると決定するステップと、
チャネル推定のために前のTTIからのパイロットが使用され得るという表示を送信するステップであって、前記表示が、特定のパイロット構造が連続TTIに関して指定されているという決定の結果として送信される、送信するステップと
をさらに含む、請求項16に記載の方法。
【請求項２３】
少なくとも1つの物理リソースブロック(PRB)を含むPRBバンドルを特定するステップと、
前記特定されたPRBバンドルに基づいて別のパイロット構造を選択するステップと、
前記選択された別のパイロット構造の表示を送信するステップと
をさらに含む、請求項16に記載の方法。
【請求項２４】
復調基準信号(DMRS)に関するトラフィック対パイロット比(TPR)を決定するステップと、
前記TPRの表示を送信するステップと
をさらに含む、請求項16に記載の方法。
【請求項２５】
パイロット密度が送信期間内で経時的に異なるパイロット構造を決定し、
前記パイロット構造の表示を送信する
ためのコードを含むコンピュータ実行可能コードを記憶している、非一時的コンピュータ可読媒体。
【請求項２６】
前記送信期間の始端における前記パイロット密度が、前記送信期間の後の部分における前記パイロット密度よりも高い、請求項25に記載のコンピュータ可読媒体。
【請求項２７】
ビーム形成構成を変更し、
前記変更の結果として前記パイロット構造を決定する
ためのコードをさらに含む、請求項25に記載のコンピュータ可読媒体。
【請求項２８】
特定のパイロット構造が連続送信時間間隔(TTI)に関して指定されていると決定することと、
チャネル推定のために前のTTIからのパイロットが使用され得るという表示を送信することであって、チャネル推定のために前のTTIからのパイロットが使用され得るという前記表示が、特定のパイロット構造が連続TTIに関して指定されているという決定の結果として送信される、送信することと
を行うためのコードをさらに含む、請求項25に記載のコンピュータ可読媒体。
【請求項２９】
少なくとも1つの物理リソースブロック(PRB)を含むPRBバンドルを特定し、
前記特定されたPRBバンドルに基づいて別のパイロット構造を選択し、
前記選択された別のパイロット構造の表示を送信する
ためのコードをさらに含む、請求項25に記載のコンピュータ可読媒体。
【請求項３０】
復調基準信号(DMRS)に関するトラフィック対パイロット比(TPR)を決定し、
前記TPRの表示を送信する
ためのコードをさらに含む、請求項25に記載のコンピュータ可読媒体。
【発明の詳細な説明】
【技術分野】
【０００１】
関連出願の相互参照
本出願は、2014年10月31日に米国特許商標庁に出願した仮特許出願第62/073,683号、および2015年5月6日に米国特許商標庁に出願した非仮出願第14/705,787号の優先権および利益を主張するものであり、その内容全体は、参照により本明細書に組み込まれている。
【０００２】
本開示の態様は、一般に、ワイヤレス通信に関し、より詳細には、限定はしないが、より良好なチャネル品質推定および/またはチャネル推定に基づく復号に関連する低減されたレイテンシを提供するために有用であり得る、チャネル推定を拡張するための技法に関する。
【背景技術】
【０００３】
ワイヤレス通信ネットワークは、テレフォニー、ビデオ、データ、メッセージング、ブロードキャストなどの様々な通信サービスを提供するために広く展開されている。通常は多元接続ネットワークであるそのようなネットワークは、利用可能なネットワークリソースを共有することによって複数のユーザのための通信をサポートする。
【０００４】
いくつかのワイヤレス通信ネットワークでは、ワイヤレスデバイスは、データが移動したチャネルの推定に基づいて、受信されたデータを復号および/または復調する。いくつかのワイヤレス通信ネットワークは、基地局(たとえば、拡張ノードB(eNB))がパイロット信号をブロードキャストし、パイロット信号を受信するアクセス端末(たとえば、ユーザ機器(UE)などのモバイルデバイス)がそれらのパイロット信号に基づいて、チャネルの推定を生成するパイロットアシスト型チャネル推定を採用する。たとえば、第3世代パートナーシッププロジェクト(3GPP)ロングタームエボリューション(LTE)では、eNBは、復調基準信号(DMRS)などのパイロット基準信号をブロードキャストし、それによって、そのパイロット基準信号を受信するUEは、受信されたパイロット基準信号に基づいてチャネル推定を生成する。
【０００５】
従来(たとえば、LTEでは)、DMRSパイロットは時間と周波数の両方の点で固定されている。また、LTEでは、DMRSパイロットは各スロットの終端において送信される。したがって、パイロットの1つのセットは、所与の送信時間間隔(TTI)の終点においてのみ推定され得る。
【発明の概要】
【課題を解決するための手段】
【０００６】
以下では、本開示のいくつかの態様の基本的理解を与えるために、そのような態様の簡略化された概要を提示する。この概要は、本開示のすべての企図された特徴の包括的な概観ではなく、本開示のすべての態様の主要または重要な要素を識別するものでもなく、本開示のいずれかまたはすべての態様の範囲を定めるものでもない。その唯一の目的は、後で提示されるより詳細な説明の前置きとして、本開示のいくつかの態様の様々な概念を簡略化された形態で提示することである。
【０００７】
一態様では、本開示は、通信のために構成された装置を提供する。この装置は、パイロット密度が送信期間内で経時的に異なるパイロット構造を決定するように構成された処理回路と、処理回路に結合され、パイロット構造の表示を送信するように構成された通信インターフェースとを含む。
【０００８】
本開示の別の態様は、パイロット密度が送信期間内で経時的に異なるパイロット構造を決定するステップと、パイロット構造の表示を送信するステップとを含む通信の方法を提供する。
【０００９】
本開示の別の態様は、通信のために構成された装置を提供する。この装置は、パイロット密度が送信期間内で経時的に異なるパイロット構造を決定するための手段と、パイロット構造の表示を送信するための手段とを含む。
【００１０】
本開示の別の態様は、パイロット密度が送信期間内で経時的に異なるパイロット構造を決定し、パイロット構造の表示を送信するためのコードを含むコンピュータ実行可能コードを記憶している、非一時的コンピュータ可読媒体を提供する。
【００１１】
本開示のこれらの態様および他の態様は、以下の発明を実施するための形態を検討すれば、より十分に理解されよう。本開示の他の態様、特徴、および実装形態は、添付の図とともに本開示の特定の実装形態の以下の説明を検討すれば、当業者に明らかになろう。以下のいくつかの実装形態および図に対して本開示の特徴について論じる場合があるが、本開示のすべての実装形態は、本明細書で論じる有利な特徴のうちの1つまたは複数を含むことができる。言い換えれば、1つまたは複数の実装形態について、いくつかの有利な特徴を有するものとして論じる場合があるが、そのような特徴のうちの1つまたは複数は、本明細書で説明する本開示の様々な実装形態に従って使用される場合もある。同様に、いくつかの実装形態について、デバイス実装形態、システム実装形態、または方法実装形態として以下で論じる場合があるが、そのような実装形態は、様々なデバイス、システム、および方法において実装され得ることを理解されたい。
【図面の簡単な説明】
【００１２】
【図１】本開示の1つまたは複数の態様が適用例を見つけることができるアクセスネットワークの一例を示すブロック図である。
【図２】本開示のいくつかの態様による、通信システムにおいてアクセスポイントと通信しているアクセス端末の一例を示すブロック図である。
【図３】本開示のいくつかの態様による、基地局(BS)がパイロット構造をUEにシグナリングする通信システムの一例を示すブロック図である。
【図４】本開示のいくつかの態様による、パイロット構造の一例を示す図である。
【図５】本開示のいくつかの態様による、基地局(BS)がTTIフィルタリングの表示をUEにシグナリングする通信システムの別の例を示すブロック図である。
【図６】本開示のいくつかの態様による、基地局(BS)が物理リソースブロック(PRB)バンドリングの表示をUEにシグナリングする通信システムの別の例を示すブロック図である。
【図７】本開示のいくつかの態様による、基地局(BS)がトラフィック対パイロット比(TPR)の表示をUEにシグナリングする通信システムの別の例を示すブロック図である。
【図８】本開示のいくつかの態様による、通信をサポートするための方法のうちの1つまたは複数を実行することができる装置(たとえば、電子デバイス)のための例示的なハードウェア実装形態を示すブロック図である。
【図９】本開示のいくつかの態様による、通信のためのプロセスの一例を示すフローチャートである。
【図１０】本開示のいくつかの態様による、パイロット構造を決定することに関連するプロセスの一例を示すフローチャートである。
【図１１】本開示のいくつかの態様による、通信をサポートするための方法のうちの1つまたは複数を実行することができる別の装置(たとえば、電子デバイス)のための例示的なハードウェア実装形態を示すブロック図である。
【図１２】本開示のいくつかの態様による、通信のためのプロセスの一例を示すフローチャートである。
【図１３】本開示のいくつかの態様による、通信をサポートするための方法のうちの1つまたは複数を実行することができる別の装置(たとえば、電子デバイス)のための例示的なハードウェア実装形態を示すブロック図である。
【図１４】本開示のいくつかの態様による、パイロット表示の送信に関連するプロセスの一例を示すフローチャートである。
【図１５】本開示のいくつかの態様による、パイロット構造の表示の送信に関連するプロセスの一例を示すフローチャートである。
【図１６】本開示のいくつかの態様による、トラフィック対パイロット比(TPR)の表示の送信に関連するプロセスの一例を示すフローチャートである。
【図１７】本開示のいくつかの態様による、通信をサポートするための方法のうちの1つまたは複数を実行することができる別の装置(たとえば、電子デバイス)のための例示的なハードウェア実装形態を示すブロック図である。
【図１８】本開示のいくつかの態様による、チャネル推定の生成に関連するプロセスの一例を示すフローチャートである。
【図１９】本開示のいくつかの態様による、チャネル推定の生成に関連するプロセスの別の例を示すフローチャートである。
【図２０】本開示のいくつかの態様による、送信電力の選択に関連するプロセスの一例を示すフローチャートである。
【図２１】本開示の態様が実装され得るワイヤレス通信ネットワークの一例を示す図である。
【発明を実施するための形態】
【００１３】
添付の図面に関して以下に記載する詳細な説明は、様々な構成の説明として意図されており、本明細書において説明する概念が実践される場合がある唯一の構成を表すことは意図されていない。詳細な記述は、様々な概念の完全な理解を提供する目的で、具体的な詳細を含む。しかし、これらの概念をこれらの具体的な詳細なしでも実践できることは、当業者には明らかであろう。場合によっては、そのような概念を曖昧にすることを回避するために、よく知られている構造および構成要素がブロック図の形態で示される。
【００１４】
本開示は、いくつかの態様では、チャネル推定の改善に関する。たとえば、第1のデバイスは、そのパイロットを適応し、かつ/または第2のデバイスにおけるチャネル推定を拡張するための情報を提供することができる。より具体的な例として、アクセスポイント(たとえば、eNBなどの基地局)は、そのパイロットを適応すること、および/またはアクセス端末におけるチャネル推定を拡張するための情報を提供することができる。本開示の技法を使用することによって、より良好なチャネル品質推定を達成することができ、かつ/またはチャネル推定に基づく復号に関連するレイテンシを低減することができる。
【００１５】
本開示は、いくつかの態様では、可変パイロット密度を有するパイロット構造に関する。たとえば、パイロット密度は、データバーストの後の部分よりも、データバーストの始端においてより密度が高い(たとえば、時間、周波数、または電力のうちの少なくとも1つにおける密度がより高い)可能性がある。比限定的な例として、データバーストの第1のTTIは4つのパイロットを含み得るのに対して、データバーストの後続のTTIは2つのパイロットを含む。したがって、デバイスは、従来の技法と比較して、チャネル推定に関する情報をより早期に取得することができる。また、デバイスは、チャネル推定を改善するために周期的なパイロット更新を使用することができる。
【００１６】
本開示は、いくつかの態様では、TTIにわたるフィルタリング技法に関する。たとえば、デバイスはサブフレーム(SF)にわたってパイロットフィルタリングを適用することができる。より具体的な例として、デバイスは、現在のTTIまたはフレームをフィルタリングするために、そのデバイスが前のTTIまたはフレームに関して取得した情報を使用することができる。
【００１７】
いくつかの態様では、これらの2つの技法は、デバイス(たとえば、アクセス端末)においてオンザフライで復調を促す。したがって、場合によっては、復調レイテンシ、復号レイテンシ、およびメモリ要件に改善を見ることができる。
【００１８】
本開示は、いくつかの態様では、拡張周波数領域物理リソースブロック(PRB)バンドリングに関する。たとえば、デバイスは、チャネル推定を促すために、PRBバンドリングを備えた均一のパイロット構造を指定することができる。さらに、プリコーディング行列インジケータ(PMI)のネットワーク(NW)シグナリングは、複数のPRBおよび/またはPRBバンドルグループにわたるジョイントチャネル推定を可能にし得る。
【００１９】
本開示は、いくつかの態様では、スループット最適化のための調整可能なトラフィック対パイロット比(TPR)を提供することに関する。たとえば、デバイスは、異なる変調およびコーディング方式(MCS)に対して異なるTPRを使用することができる、等々である。
【００２０】
本開示全体にわたって提示される様々な概念は、多種多様な通信システム、ネットワークアーキテクチャ、および通信規格にわたって実装され得る。図1を参照すると、限定ではなく例として、例示的なアクセスネットワーク100が示されている。アクセスネットワーク100は、限定はしないが、第5世代(5G)技術、第4世代(4G)技術、第3世代(3G)技術、および他のネットワークアーキテクチャを含む様々なネットワーク技術に従って実装され得る。したがって、本開示の様々な態様は、ロングタームエボリューション(LTE)、(FDDモード、TDDモード、もしくはその両方のモードの)LTE-Aアドバンスト(LTE-A)、ユニバーサルモバイルテレコミュニケーションシステム(UMTS)、モバイル通信用グローバルシステム(GSM（登録商標）)、符号分割多元接続(CDMA)、エボリューションデータオプティマイズド(EV-DO)、ウルトラモバイルブロードバンド(UMB)、IEEE802.11(Wi-Fi)、IEEE802.16(WiMAX)、IEEE802.20、ウルトラワイドバンド(UWB)、Bluetooth（登録商標）、および/または他の適切なシステムに基づくネットワークに拡張され得る。採用される実際の電気通信規格、ネットワークアーキテクチャ、および/または通信規格は、特定の適用例およびシステムに課された全体的な設計制約によって決まる。
【００２１】
アクセスネットワーク100は、セル102、104、および106を含む複数のセルラー領域(セル)を含み、セルの各々は、1つまたは複数のセクタを含み得る。セルは地理的に、たとえば、カバレージエリアによって画定され得る。セクタに分割されたセルでは、セル内の複数のセクタは、アンテナのグループによって形成されてよく、各アンテナがセルの一部分にあるATとの通信を担う。たとえば、セル102において、アンテナグループ112、114および116は、各々異なるセクタに対応し得る。セル104では、アンテナグループ118、120、および122は、各々異なるセクタに対応し得る。セル106では、アンテナグループ124、126、および128は各々、異なるセクタに対応し得る。
【００２２】
セル102、104、および106は、各セル102、104、または106の1つまたは複数のセクタと通信中であり得る、いくつかのアクセス端末(AT)を含み得る。たとえば、AT130および132は、アクセスポイント(AP)142と通信していてもよく、AT134および136は、AP144と通信していてもよく、AT138および140は、AP146と通信していてもよい。様々な実装形態では、APは、基地局、NodeB、eNodeBなどと呼ばれるか、またはそれらとして実装される可能性があるが、ATは、ユーザ機器(UE)、移動局、リモートワイヤレスデバイスなどと呼ばれるか、またはそれらとして実装される可能性がある。
【００２３】
図2は、アクセス端末(AT)250と通信しているアクセスポイント(AP)210を含むシステム200のブロック図であり、AP210およびAT250は、本明細書で教示するような機能を提供するように構成され得る。AP210は、図1におけるAP142、144または146であってよく、AT250は、図1におけるAT130、132、134、136、138または140であってよい。様々な動作シナリオでは、AP210および/またはAT250は、送信機もしくは送信デバイス、または受信機もしくは受信デバイス、または両方であり得る。そのような送信機、送信デバイス、受信機、および受信デバイスの例は、図1、図3、図5〜図8、図11、図13、図17および図21に示されている。
【００２４】
AP210からAT250へのダウンリンク通信では、コントローラまたはプロセッサ(コントローラ/プロセッサ)240が、データソース212からデータを受信することができる。送信プロセッサ220のコーディング方式、変調方式、拡散方式、および/またはスクランブリング方式を決定するために、コントローラ/プロセッサ240によってチャネル推定が使用され得る。これらのチャネル推定は、AT250によって送信された基準信号から、またはAT250からのフィードバックから導出され得る。送信機232は、アンテナ234A〜234Nを通じたワイヤレス媒体を介したダウンリンク送信のために、増幅、フィルタリング、およびキャリア上へのフレームの変調を含む、様々な信号調整機能を提供することができる。アンテナ234A〜234Nは、たとえば、ビームステアリング双方向適応アンテナアレイ、MIMOアレイ、または任意の他の適切な送信/受信技術を含む、1つまたは複数のアンテナを含み得る。
【００２５】
AT250において、受信機254は、(たとえば、1つまたは複数のアンテナを表す)アンテナ252A〜252Nを通じてダウンリンク送信を受信し、その送信を処理して、キャリア上へ変調されている情報を回復する。受信機254によって回復された情報は、コントローラ/プロセッサ290に提供される。コントローラ/プロセッサ290は、シンボルを逆スクランブルおよび逆拡散し、変調方式に基づいて、AP210によって送信された、最も可能性の高い信号配置点を決定する。これらの軟判定は、コントローラ/プロセッサ290によって計算されたチャネル推定に基づき得る。その後、軟判定は、データ信号、制御信号、および基準信号を回復するために、復号およびデインターリーブされる。その後、フレームの復号に成功したか否かを判断するために、CRCコードが検査される。次いで、復号に成功したフレームによって搬送されたデータが、データシンク272に提供されることになり、データシンク272は、AT250および/または様々なユーザインターフェース(たとえば、ディスプレイ)において実行されるアプリケーションを表す。復号に成功したフレームによって搬送された制御信号が、コントローラ/プロセッサ290に提供される。フレームの復号が不成功となると、コントローラ/プロセッサ290は、肯定応答(ACK)および/または否定応答(NACK)プロトコルを使用して、そうしたフレームの再送信要求をサポートすることもできる。
【００２６】
AT250からAP210へのアップリンクでは、データソース278からのデータおよびコントローラ/プロセッサ290からの制御信号が提供される。データソース278は、AT250および様々なユーザインターフェース(たとえば、キーボード)において実行されるアプリケーションを表すことができる。AP210によるダウンリンク送信に関して説明する機能と同様に、コントローラ/プロセッサ290は、CRCコード、FECを促すためのコーディングおよびインターリービング、信号配置へのマッピング、OVSFによる拡散、および、一連のシンボルを生成するためのスクランブリングを含む、様々な信号処理機能を提供する。AP210によって送信された基準信号から、または、AP210によって送信されたミッドアンブル中に含まれるフィードバックから、コントローラ/プロセッサ290によって導出されたチャネル推定が、適切なコーディング方式、変調方式、拡散方式、および/またはスクランブリング方式を選択するために使用され得る。コントローラ/プロセッサ290によって生成されたシンボルは、フレーム構造を作成するために利用される。コントローラ/プロセッサ290は、追加の情報でシンボルを多重化することによって、このフレーム構造を作成し、一連のフレームが得られる。次いで、これらのフレームは送信機256に提供され、送信機256は、アンテナ252A〜252Nを通じたワイヤレス媒体を介したアップリンク送信のために、増幅、フィルタリング、およびキャリア上へのフレームの変調を含む、様々な信号調整機能を提供する。
【００２７】
アップリンク送信は、AT250における受信機機能に関して説明した方法と同様の方法で、AP210において処理される。受信機235は、アンテナ234A〜234Nを通じてアップリンク送信を受信し、その送信を処理して、キャリア上へ変調されている情報を回復する。受信機235によって回復された情報は、各フレームを解析するコントローラ/プロセッサ240に提供される。コントローラ/プロセッサ240は、AT250中のコントローラ/プロセッサ290によって実行される処理の逆を実行する。次いで、復号に成功したフレームによって搬送されたデータおよび制御信号が、データシンク239に提供され得る。受信プロセッサによるフレームの一部の復号が不成功となった場合、コントローラ/プロセッサ240は、肯定応答(ACK)および/または否定応答(NACK)プロトコルを用いて、そうしたフレームの再送信要求をサポートすることもできる。
【００２８】
コントローラ/プロセッサ240および290は、それぞれAP210およびAT250における動作を指示するために使用され得る。たとえば、コントローラ/プロセッサ240および290は、タイミング、周辺機器インターフェース、電圧調整、電力管理、および他の制御機能を含む、様々な機能を提供することができる。メモリ242および292のコンピュータ可読媒体は、それぞれ、AP210およびAT250のためのデータおよびソフトウェアを記憶することができる。
【００２９】
本開示の様々な態様によれば、要素、もしくは要素の任意の部分、または要素の任意の組合せは、(たとえば、1つまたは複数のプロセッサをそれぞれ含み得る)コントローラ/プロセッサ240および290を用いて実装され得る。コントローラ/プロセッサ240および290は、メモリ252または292内に記憶されたソフトウェアの実行を含む、一般的な処理を担当する。ソフトウェアは、コントローラ/プロセッサ240および290によって実行されると、コントローラ/プロセッサ240および290に、任意の特定の装置の以下で説明する様々な機能を実行させる。メモリ252または292はまた、ソフトウェアを実行するときにコントローラ/プロセッサ240および290によって操作されるデータを記憶するために使用され得る。
【００３０】
本開示の様々な態様では、装置がワイヤレス通信ネットワークにおいて、スケジューリングエンティティ(たとえば、AP210)として、かつ/または非スケジューリングエンティティもしくは従属エンティティ(たとえば、AT250)として利用され得る。また、本開示の様々な態様では、装置はピアツーピア(P2P)ワイヤレス通信を採用することができる。たとえば、2つ以上のP2Pデバイスは協働して、メッシュワイヤレス通信ネットワークを形成することができる。いずれの場合も、装置は、エアインターフェースを介して1つまたは複数のワイヤレスエンティティと通信することができる。任意のワイヤレス通信ネットワークにおいて、エアインターフェースに対応するチャネル状態は経時的に変化する。
【００３１】
したがって、多くのネットワークは、チャネルに動的に適応するために1つまたは複数のレート制御ループを使用する。たとえば、送信デバイスは、受信デバイスにおける所望のエラーレートをターゲットにするように、限定はしないが、変調およびコーディング方式(MCS)、送信電力などを含む1つまたは複数の送信パラメータを構成することができる。パケット交換データストリームを受信している受信デバイスは、通常、(たとえば、巡回冗長検査、すなわちCRC、チェックサム、PHYレイヤチャネルコーディング合格/不合格ステータスなどを使用して)パケットの完全性を検査し、肯定応答または否定応答を使用して送信デバイスに返報し得る。完全性検査および報告は、常にではないがしばしば、自動再送要求(ARQ)および/またはハイブリッド自動再送要求(HARQ)アルゴリズムの形態をとる。他の例では、チャネル品質に関係する報告など、フィードバック情報または応答送信を受信デバイスから送信デバイスに提供する任意の適切なアルゴリズムまたは手段が使用され得る。
【００３２】
いくつかのネットワーク設計では、DMRSパイロットは時間と周波数の両方の点で固定パターンを有する。この固定パターンは、基地局およびサブフレームごとのチャネル推定において性能損失をもたらし得る。さらに、この固定パイロット構造により復調レイテンシが存在し得る。
【００３３】
本開示は、いくつかの態様では、改善されたチャネル推定のための技法に関する。第1の例示的な技法において、デバイス(たとえば、基地局)はパイロット密度が経時的に異なるパイロット構造を指定することができる。たとえば、デバイスは、経時的なDMRSパイロット密度を適応して、より早期のパイロット処理を促し、それによって、チャネル推定のための復号タイムラインを改善することができる。この技法は、したがって、口語的に「パイロットブートストラップ」技法と呼ばれる場合がある。第2の例示的な技法において、デバイスは、チャネル推定のために、前の送信時間間隔(TTI)からのパイロットが使用され得ることを示すことができる。したがって、デバイスは、シグナリングオーバーヘッドおよび/または処理オーバーヘッドに著しい影響を与えることなく、チャネル推定品質を改善するためにTTIバンドリングにわたってDMRSを採用することができる。第3の例示的な技法において、デバイスは、周波数領域物理リソースブロック(PRB)バンドリングを採用することができる。第4の例示的な技法において、デバイスは、スループット最適化のために調整可能なトラフィック対パイロット比(TPR)を使用することができる。
【００３４】
いくつかの態様では、これらの技法は、パイロットを受信するデバイス(たとえば、アクセス端末)における外挿および判定指向型/反復チャネル推定を促し、それによって、復号性能を改善し、復号レイテンシを低減することができる。したがって、本明細書の教示に基づく判定指向性チャネル推定および反復チャネル推定を使用することによって、そのようなデバイスは、従来の方式と比較して、そのチャネル推定精度およびレイテンシを改善することができる。
【００３５】
次に、上記の4つの技法の各々について、図3〜図7を参照して説明する。例示のために、これらの図は、DMRSパイロットシステムのためのチャネル推定および/またはLTE技術の関連における様々な構成要素を示し得る。しかしながら、本明細書の教示は、他のタイプのデバイスを採用することができ、他のタイプの無線技術および無線アーキテクチャを使用して実装され得ることを理解されたい。また、様々な動作は、特定のタイプの構成要素(たとえば、eNB、基地局、クライアントデバイス、ピアツーピアデバイス、UEなど)によって実行されているとして説明される場合がある。しかしながら、これらの動作は、他のタイプのデバイスによって実行され得ることを理解されたい。これらの図を複雑にしないように、少数の例示的な構成要素だけが示されている。しかしながら、本明細書の教示は、異なる数の構成要素または他のタイプの構成要素を使用して実装され得ることを諒解されたい。
【００３６】
パイロット構造
本開示は、いくつかの態様では、パイロットの密度が経時的に変化し得るパイロット構造に関する。
【００３７】
図3は、本明細書の教示による、基地局(BS)304(たとえば、eNB)がパイロット構造情報および他の情報をUE302に通信する通信システム300を示す。通信システム300において、UE302は基地局304によってサービスされる。いくつかの態様では、UE302は、図2のAT250、または図1のAT130、132、134、136、138、または140のいずれかに対応し得る。いくつかの態様では、基地局304は、図2のAP210、または図1のAP142、144、または146のいずれかに対応し得る。UE302および基地局304は、示すようにダウンリンク(DL)314およびアップリンク(UL)316を介して通信することをサポートするための、それぞれの送信機306および308と、受信機310および312とを含む。すなわち、UE302はULシグナリング318を基地局304に送信し、基地局はDLシグナリング320をUE302に送信する。
【００３８】
上述のように、基地局およびUEに関して、本明細書で論じる技術の態様の議論は説明のためであることを留意されたい。他のシナリオでは、開示する基地局およびUEは、代わりに、ワイヤレス通信が可能な他のタイプの構成要素/デバイスであってよい。たとえば、本明細書の教示は、ワイヤレスユーザデバイスおよびワイヤレスネットワークデバイス間、複数のワイヤレスユーザデバイス間、または複数のワイヤレスネットワークデバイス間で適用され得る。
【００３９】
図4のパイロット構造400は、時間領域(x軸)および周波数領域(y軸)内のシンボルを示す。送信期間402は、複数のTTI(たとえば、第1のTTI404)を含む。いくつかの態様では、送信期間402はデータバーストに対応し得る。また、図1には例示のために3つのTTIが示されているが、送信期間は異なる数のTTIを含み得る。
【００４０】
(影つきのボックスによって表される)パイロットシンボル406が各TTIの始端において定義される。いくつかの態様では、これは、各TTI内のパイロットシンボルの早期の検出を促す。
【００４１】
さらに、(影つきのボックスによって表される)余分のパイロットシンボル408がシンボル4および5において第1のTTI内で提供される。他の実装形態では、余分のパイロットシンボルは(たとえば、シンボル4および5に加えて、またはシンボル4および5におけるパイロットシンボル以外の)他のシンボルにおいて提供され得る。余分のシンボルの使用は、(たとえば、データバーストの始端において)パイロット密度を増大し得る。たとえば、コールドスタートまたはビーム形成(BF)の変化時に、基地局は、より密度の高いパイロットをスケジュールするようにUEにシグナリングし、それによってUEのチャネル推定をブートストラッピングすることができる。UEは、パイロットをより早期に受信し、したがって、チャネル推定をより早く生成することができる。さらに、UEは、より多くのパイロット情報をより早期に受信し、したがって、より正確な推定をより早期に生成することができる。UEは、この場合、制御チャネルペイロード内のインジケータビットを介して余分のパイロットシンボルについて通知を受ける。したがって、UEのチャネル推定プロセスは、より早期のパイロットをUEに提供することなどによって支援される(口語的に、ブートストラッピングと呼ばれる)。
【００４２】
パイロット密度は、時間、周波数、または送信電力のうちの少なくとも1つの点で増大され得る。たとえば、いくつかのTTI内で、他のTTIよりも多くのパイロットが送られ得る。別の例として、追加のパイロット(たとえば、早期のパイロット)は追加の周波数帯域上で(たとえば、同時にまたは異なる時点で)送信され得る。さらに別の例として、送信電力は、いくつかのパイロット(たとえば、早期のパイロット)に関して、他のパイロットよりも高い可能性がある。
【００４３】
図3を再び参照すると、1つまたは複数の基準に基づいて、基地局304の処理回路322は、パイロット構造を生成し、パイロット構造の表示326をUE302に送信する。基地局304は、下で論じるように、復号するために前のTTIが使用され得るかどうかの表示、PRBバンドリングのためのPMI、およびにTPR表示を送信することもできる。ある時点で、基地局304はまた、パイロット構造に従って、パイロットをUE302に送信する。
【００４４】
UE302の処理回路324は、(受信されたパイロット構造表示およびパイロット328から導出された)受信されたパイロット構造を使用して、基地局304からパイロットを受信する。処理回路324はまた、(受信されたパイロット構造表示およびパイロット328から)受信されたパイロットに基づいて、チャネル推定330を生成し、チャネル推定に基づいて、受信されたデータを復号する(たとえば、復調する)。UE302は、基地局304が受信されたチャネル推定332に基づいて通信パラメータを適応することを可能にするために、チャネル推定330またはチャネル推定から導出されたパラメータを基地局304に送ることもできる。
【００４５】
本明細書で論じるように、本明細書で教示するように動的パイロット構造を使用することによって、UE302は、より正確なチャネル推定を有利に生成し、関連する遅延を緩和することができる。たとえば、送信期間内にフロントロードされた(front-loaded)パイロットを受信することによって、UE302は、より迅速にかつ/またはより正確にチャネル推定を生成することができる。また、TTIの終了に先立ってパイロットを受信することによって、UE302は(たとえば、パイロットがTTIの終端におけるLTEと比較して)チャネル推定をオンザフライで生成することができる。さらに、周期的なパイロット更新を受信し、チャネル推定を改善するために使用することができる。
【００４６】
TTIパイロットフィルタリング
本開示は、いくつかの態様では、チャネル推定のために前のTTIからのパイロットを使用することに関する。たとえば、基地局は、チャネル推定品質および復号タイムラインを改善するために、前のTTI内のパイロットを利用するようにUEにシグナリングすることができる。この技法は、たとえば、TTIが変化していない場合(たとえば、TTI間でビーム形成が変化していない場合)に使用され得る。
【００４７】
図5は、本明細書の教示による、基地局(BS)504がパイロット情報および本明細書で教示される他の情報をUE502に通信する通信システム500を示す。通信システム500において、UE502は基地局504によってサービスされる。いくつかの態様では、UE502は、図2のAT250、または図1のAT130、132、134、136、138、または140のいずれかに対応し得る。いくつかの態様では、基地局504は、図2のAP210、または図1のAP142、144、または146のいずれかに対応し得る。UE502および基地局504は、示すようにダウンリンク(DL)514およびアップリンク(UL)516を介して通信することをサポートするための、それぞれの送信機506および508と、受信機510および512とを含む。すなわち、UE502はULシグナリング518を基地局504に送信し、基地局はDLシグナリング520をUE502に送信する。
【００４８】
基地局504の処理回路522は、前のTTIからのパイロットが現在のTTIに関するチャネル推定のために使用され得るかどうかを示すTTIフィルタリング表示526を生成する。基地局504は、この表示をUE502に送信する。さらに、ある時点で、基地局504は、現在のパイロット構造に従ってパイロットをUE502に送信する。
【００４９】
UE502の処理回路524はTTIフィルタリング表示およびパイロット528を受信し、受信されたパイロットおよび示されたフィルタリング技法に基づいて、チャネル推定530を生成する。したがって、場合によっては、処理回路524は、現在のTTIからのパイロットおよび前のTTIからのパイロットに基づいて、チャネル推定530を生成する。いくつかの態様では、処理回路524は、チャネル推定に基づいて、受信されたデータを復号する(たとえば、復調する)ことができる。UE502はまた、基地局504の処理回路522が受信されたチャネル推定532に基づいて通信パラメータを適応することを可能にするために、チャネル推定を基地局504に送る。
【００５０】
本明細書で教示する動的パイロット技法を使用することによって、UE502は、より正確なチャネル推定を有利に生成し、関連する遅延を緩和することができる。たとえば、前のTTIからパイロットを受信することによって、チャネル推定の精度またはチャネル推定時間を改善することができる。
【００５１】
PRBバンドリング
本開示は、いくつかの態様では、拡張周波数領域パイロットバンドリングに関する。いくつかの態様では、これはPRBバンドリングに関連する。より良好なチャネル推定を可能にするために、バンドルされたPRB領域内で均一のパイロット間隔を採用することができる。サブバンド(SB)スケジューリングフレキシビリティおよび/またはビーム形成(BF)利得に関するチャネル推定性能をトレードオフするために、より広い帯域バンドリングを採用することができる。
【００５２】
プリコーディング変化が存在する際、チャネル推定品質を改善するために広帯域バンドリングを採用することができる。たとえば、基地局は、信号を送信して、複数のPRBバンドルにわたる同時の広帯域(WB)チャネル推定を可能にするためにPRBバンドルにわたるプリコーディング行列インジケータ(PMI)変化を示すことができる。いくつかの実装形態では、基地局は近傍リソースブロック(RB)PMI間の差異をシグナリングする。いくつかの実装形態では、基地局は、サウンディング基準信号(SRS)に基づく広帯域ビーム形成と、チャネル状態フィードバック(CSF)に基づくサブバンド微調整とを実行する。UE-PMIを使用して、PRBにわたるプリコーダの差異を調整することもできる。たとえば、後で、UEが報告するサブバンドPMIが、後でN個のサブフレームにわたって適用されることが保証され得る。
【００５３】
図6は、本明細書の教示による、基地局(BS)604がパイロット情報および本明細書で教示される他の情報をUE602に通信する通信システム600を示す。通信システム600において、UE602は基地局604によってサービスされる。いくつかの態様では、UE602は、図2のAT250、または図1のAT130、132、134、136、138、または140のいずれかに対応し得る。いくつかの態様では、基地局604は、図2のAP210、または図1のAP142、144、または146のいずれかに対応し得る。UE602および基地局604は、示すようにダウンリンク(DL)614およびアップリンク(UL)616を介して通信することをサポートするための、それぞれの送信機606および608と、受信機610および612とを含む。すなわち、UE602はULシグナリング618を基地局604に送信し、基地局はDLシグナリング620をUE602に送信する。
【００５４】
基地局604の処理回路622は、たとえば、PRBがどのようにバンドルされ得るかを示すPRBバンドリング表示626(たとえば、PMIは異なるPRBにわたって適用される)を生成する。基地局604は、この表示をUE602に送信する。さらに、ある時点で、基地局604は、現在のパイロット構造に従って、パイロットをUE602に送信する。
【００５５】
UE602の処理回路624はPRBバンドリング表示およびパイロット628を受信し、受信されたパイロットおよび示されたPRBバンドリング方式に基づいて、チャネル推定630を生成する。処理回路624は、チャネル推定に基づいて、受信されたデータを復号する(たとえば、復調する)こともできる。UE602は、基地局604の処理回路622が受信されたチャネル推定632に基づいて通信パラメータを適応することを可能にするために、チャネル推定(または、チャネル推定から導出されたパラメータ)を基地局604に送る。
【００５６】
本明細書で教示する動的パイロット技法を使用することによって、UE602は、より正確なチャネル推定を有利に生成し、関連する遅延を緩和することができる。たとえば、PRBバンドルにわたって均一であるパイロットを受信することによって、UE602は(たとえば、広帯域チャネルに関して)より正確なチャネル推定を生成することができる。
【００５７】
TPR調整
本開示は、いくつかの態様では、DMRSパイロットのための電力最適化に関する。いくつかの態様では、DMRSトラフィック性能を最適化するために、フレキシブルなトラフィック対パイロット比(TPR)調整を採用することができる。たとえば、異なるMCS、ランク、レートなどに関して、DMRS電力を最適化することができる。このために、第1のデバイス(たとえば、基地局)は、同時復調のためにTPRを近傍デバイス(たとえば、UE)にシグナリングすることができる。
【００５８】
図7は、本明細書の教示による、基地局(BS)704がパイロット情報および本明細書で教示される他の情報をUE702に通信する通信システム700を示す。通信システム700において、UE702は基地局704によってサービスされる。いくつかの態様では、UE702は、図2のAT250、または図1のAT130、132、134、136、138、または140のいずれかに対応し得る。いくつかの態様では、基地局704は、図2のAP210、または図1のAP142、144、または146のいずれかに対応し得る。UE702および基地局704は、示すようにダウンリンク(DL)714およびアップリンク(UL)716を介して通信することをサポートするための、それぞれの送信機706および708と、受信機710および712とを含む。すなわち、UE702はULシグナリング718を基地局704に送信し、基地局はDLシグナリング720をUE702に送信する。
【００５９】
ある時点で、基地局704の処理回路722は、(たとえば、ダウンリンクシグナリング720を介して適切な信号をUEに送ることによって)TPR表示726をUE702に送る。UE702の処理回路724は、(受信されたTPR表示およびパイロット728から)受信されたTPR表示に基づいて、送信機706の送信電力を制御するための制御信号730を生成する。
【００６０】
処理回路724はまた、(受信されたTPR表示およびパイロット728から)受信されたパイロットに基づいてチャネル推定(図示せず)を生成する。送信機706は、アップリンク716を介して、このチャネル推定(または、チャネル推定から導出されたパラメータ)を受信機712に送信する。したがって、基地局704の処理回路722は、受信されたチャネル推定732に基づいて、通信パラメータを調整することができる。
【００６１】
本明細書で論じるように、TPR表示を使用することによって、UE702は、より正確なチャネル推定を有利に生成し、関連する遅延を緩和することができる。たとえば、UE702は、基地局704から受信されたTPR情報に従って、その送信電力を動的に設定することができる。したがって、異なる送信方式に関して(たとえば、異なるMCS、異なるランクなどに関して)異なるTPRが使用され得る。
【００６２】
図3、図5、図6、または図7のうちの2つ以上で開示する機能は、いくつかの実装形態では結合されてよい。たとえば、基地局は、基地局304、基地局504、基地局604、または基地局704のうちの2つ以上の機能を含み得る。別の例として、UEは、UE302、UE502、UE602、またはUE702のうちの2つ以上の機能を含み得る。
【００６３】
例示的な装置
図8は、本開示の1つまたは複数の態様に従って通信するように構成された装置800のある例示的なハードウェア実装形態のブロック図を示す。たとえば、装置800は、基地局(たとえば、eNB)、UE、またはワイヤレス通信をサポートする何らかの他のタイプのデバイス内で、具現化し、または実装され得る。様々な実装形態において、装置800は、アクセス端末、アクセスポイント、または何らかの他のタイプのデバイス内で具現化し、または実装され得る。様々な実装形態において、装置800は、モバイルフォン、スマートフォン、タブレット、ポータブルコンピュータ、サーバ、パーソナルコンピュータ、センサー、エンターテインメントデバイス、車両構成要素、医療デバイス、または回路を有する任意の他の電子デバイス内で具現化し、または実装され得る。
【００６４】
装置800は、通信インターフェース(たとえば、少なくとも1つのトランシーバ)802、記憶媒体804、ユーザインターフェース806、メモリデバイス(たとえば、メモリ回路)808、および処理回路(たとえば、少なくとも1つのプロセッサ)810を含む。様々な実装形態において、ユーザインターフェース806は、キーパッド、ディスプレイ、スピーカー、マイクロフォン、タッチスクリーンディスプレイ、または、ユーザから入力を受け取りもしくはユーザに出力を送るための何らかの他の回路のうちの1つまたは複数を含み得る。
【００６５】
これらの構成要素は、図8において接続線によって一般に表される、シグナリングバスまたは他の適切な構成要素を介して互いに結合され、かつ/または互いに電気通信するように配置され得る。シグナリングバスは、処理回路810の特定の適用例および全体的設計制約に応じて、任意の数の相互接続バスおよびブリッジを含み得る。シグナリングバスは、通信インターフェース802、記憶媒体804、ユーザインターフェース806、およびメモリデバイス808の各々が、処理回路810に結合され、および/または処理回路810と電気通信するように、様々な回路を互いにリンクさせる。シグナリングバスはまた、タイミングソース、周辺装置、電圧調整器、および電力管理回路などの様々な他の回路(図示せず)をリンクさせ得るが、これらの回路は当技術分野でよく知られており、したがって、これ以上は説明しない。
【００６６】
通信インターフェース802は、伝送媒体を通じて他の装置と通信するための手段を提供する。いくつかの実装形態では、通信インターフェース802は、ネットワーク内の1つまたは複数の通信デバイスに関して双方向に情報の通信を促すように適合された回路および/またはプログラミングを含む。いくつかの実装形態では、通信インターフェース802は、装置800のワイヤレス通信を促すように適合され得る。これらの実装形態では、通信インターフェース802は、ワイヤレス通信システム内のワイヤレス通信のための、図8に示すような、1つまたは複数のアンテナ812に結合され得る。通信インターフェース802は、1つまたは複数のスタンドアロンの受信機および/または送信機、ならびに1つまたは複数のトランシーバを用いて構成され得る。示される例では、通信インターフェース802は、送信機814および受信機816を含む。通信インターフェース802は、受信するための手段および/または送信するための手段の一例として機能し得る。
【００６７】
メモリデバイス808は、1つまたは複数のメモリデバイスを表すことができる。示すように、メモリデバイス808は、パイロット関連の情報818を、装置800によって使用される他の情報とともに維持し得る。いくつかの実装形態では、メモリデバイス808および記憶媒体804は、共通のメモリ構成要素として実装される。メモリデバイス808はまた、処理回路810または装置800の何らかの他の構成要素によって操作されるデータを記憶するために使用され得る。
【００６８】
記憶媒体804は、プロセッサ実行可能コードもしくは命令(たとえば、ソフトウェア、ファームウェア)などのプログラミング、電子データ、データベース、または他のデジタル情報を記憶するための、1つまたは複数のコンピュータ可読の、機械可読の、および/またはプロセッサ可読のデバイスを表し得る。記憶媒体804はまた、プログラミングを実行するときに処理回路810によって操作されるデータを記憶するために使用され得る。記憶媒体804は、ポータブル記憶デバイスまたは固定式記憶デバイスと、光学記憶デバイスと、プログラミングを記憶する、収容する、または搬送することが可能な様々な他の媒体とを含む、汎用または専用のプロセッサによってアクセスされ得る任意の利用可能な媒体であり得る。
【００６９】
限定ではなく例として、記憶媒体804は、磁気記憶デバイス(たとえば、ハードディスク、フロッピーディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、および、コンピュータによってアクセスされかつ読み取られ得るソフトウェアおよび/または命令を記憶するための任意の他の適切な媒体を含み得る。記憶媒体804は、製造品(たとえば、コンピュータプログラム製品)において具現化され得る。例として、コンピュータプログラム製品は、パッケージング材料の中のコンピュータ可読媒体を含み得る。上記に鑑みて、いくつかの実装形態では、記憶媒体804は非一時的(たとえば、有形)記憶媒体であり得る。
【００７０】
記憶媒体804は、処理回路810が記憶媒体804から情報を読み取り、記憶媒体804に情報を書き込むことができるように、処理回路810に結合され得る。すなわち、記憶媒体804は、少なくとも1つの記憶媒体が処理回路810と一体である例および/または少なくとも1つの記憶媒体が処理回路810から分離されている(たとえば、装置800内にある、装置800の外部にある、複数のエンティティにわたって分散されている、など)例を含め、記憶媒体804が少なくとも処理回路810によってアクセス可能であるように、処理回路810に結合され得る。
【００７１】
記憶媒体804によって記憶されているプログラミングは、処理回路810によって実行されると、処理回路810に本明細書で説明する様々な機能および/またはプロセス動作のうちの1つまたは複数を実行させる。たとえば、記憶媒体804は、処理回路810の1つまたは複数のハードウェアブロックにおける動作を調整するように、ならびにそれらのそれぞれの通信プロトコルを利用するワイヤレス通信のための通信インターフェース802を利用するように構成された動作を含み得る。
【００７２】
処理回路810は、一般に、記憶媒体804上に記憶されたそのようなプログラミングの実行を含む処理のために適合される。本明細書で使用される「コード」または「プログラミング」という用語は、ソフトウェアと呼ばれるか、ファームウェアと呼ばれるか、ミドルウェアと呼ばれるか、マイクロコードと呼ばれるか、ハードウェア記述言語と呼ばれるか、またはそれ以外で呼ばれるかにかかわらず、限定はしないが、命令、命令セット、データ、コード、コードセグメント、プログラムコード、プログラム、プログラミング、サブプログラム、ソフトウェアモジュール、アプリケーション、ソフトウェアアプリケーション、ソフトウェアパッケージ、ルーチン、サブルーチン、オブジェクト、実行ファイル、実行スレッド、手順、関数などを含むように広く解釈されなければならない。
【００７３】
処理回路810は、データを取得し、処理し、かつ/または送り、データのアクセスおよび記憶を制御し、コマンドを出し、かつ他の所望の動作を制御するように構成される。処理回路810は、少なくとも1つの例において適切な媒体によって与えられる所望のプログラミングを実装するように構成される回路を含み得る。たとえば、処理回路810は、1つまたは複数のプロセッサ、1つまたは複数のコントローラ、および/または実行可能なプログラミングを実行するように構成される他の構造として実装され得る。処理回路810の例は、汎用プロセッサ、デジタル信号プロセッサ(DSP)、特定用途向け集積回路(ASIC)、フィールドプログラマブルゲートアレイ(FPGA)もしくは他のプログラマブル論理構成要素、個別ゲートもしくはトランジスタ論理、個別のハードウェア構成要素、または本明細書で説明する機能を実行するように設計されたそれらの任意の組合せを含み得る。汎用プロセッサは、マイクロプロセッサ、ならびに任意の従来のプロセッサ、コントローラ、マイクロコントローラ、または状態機械を含み得る。処理回路810はまた、DSPおよびマイクロプロセッサの組合せ、いくつかのマイクロプロセッサ、DSPコアと連携する1つもしくは複数のマイクロプロセッサ、ASICおよびマイクロプロセッサ、または任意の他の数の様々な構成などのコンピューティング構成要素の組合せとして実装され得る。処理回路810のこれらの例は説明のためであり、本開示の範囲内の他の適切な構成も企図される。
【００７４】
本開示の1つまたは複数の態様によれば、処理回路810は、本明細書で説明する装置のいずれかまたはすべてのための特徴、プロセス、機能、動作および/またはルーチンのいずれかまたはすべてを実行するように適合され得る。たとえば、処理回路810は、図1〜図7および図9〜図10に関して説明するステップ、機能、および/または処理のいずれかを実行するように構成され得る。本明細書で使用される場合、処理回路810に関して「適合される」という用語は、処理回路810が、本明細書で説明する様々な特徴に従って、特定のプロセス、機能、動作、および/またはルーチンを実行するように構成されること、利用されること、実装されること、および/またはプログラムされることのうちの1つまたは複数を指し得る。
【００７５】
処理回路810は、図1〜図7および図9〜図10とともに説明する動作のいずれか1つを実行するための手段(たとえば、そのための構造)として機能する特定用途向け集積回路(ASIC)などの特別なプロセッサであり得る。処理回路810は、送信するための手段および/または受信するための手段の一例として機能する。いくつかの実装形態では、処理回路810は、図3の処理回路322の機能を組み込む。
【００７６】
装置800の少なくとも1つの例によれば、処理回路810は、パイロット構造を決定するための回路/モジュール820、送信するための回路/モジュール822、またはビーム形成構成を変更するための回路/モジュール824のうちの1つまたは複数を含み得る。いくつかの実装形態では、パイロット構造を決定するための回路/モジュール820、送信するための回路/モジュール822、およびビーム形成構成を変更するための回路/モジュール824は、図3の処理回路322に少なくとも部分的に対応する。
【００７７】
パイロット構造を決定するための回路/モジュール820は、たとえば、パイロット密度が送信期間内で経時的に異なるパイロット構造を決定することに関するいくつかの機能を実行するように適合された回路および/またはプログラミング(たとえば、記憶媒体804上に記憶された、パイロット構造を決定するためのコード826)を含み得る。いくつかの実装形態では、パイロット構造を決定するための回路/モジュール820は、パイロット構造を定義する。たとえば、パイロット構造を決定するための回路/モジュール820は、パイロット密度が送信期間の始端においてより高い(たとえば、送信期間の始端におけるパイロット密度が送信期間の後の部分におけるパイロット密度よりも高い)パイロット構造を定義することができる。別の例として、パイロット構造を決定するための回路/モジュール820は、パイロット密度が送信期間内の異なる送信時間間隔(TTI)によって異なるパイロット構造を定義することができる。いくつかの態様では、パイロット密度は、送信期間の間の周波数に関して、かつ/または送信期間の間の送信電力に関してさらに異なる。いくつかの実装形態では、パイロット構造を決定するための回路/モジュール820はパイロット構造を取得する。たとえば、パイロット構造を決定するための回路/モジュール820は、パイロット構造情報を装置の構成要素(たとえば、メモリデバイス808、受信機816、または何らかの他の構成要素)から、またはこの情報をブロードキャストするデバイス(たとえば、基地局、ユーザデバイスなど)から直接取得することができる。パイロット構造を決定するための回路/モジュール820は、決定されたパイロット構造情報を出力する(たとえば、情報をメモリデバイス808内に記憶する、または情報を装置800の別の構成要素に送る)。いくつかの実装形態では、通信インターフェース802は、パイロット構造を決定するための回路/モジュール820および/またはパイロット構造を決定するためのコード826を含む。
【００７８】
送信するための回路/モジュール822は、たとえば、表示または他の情報を送信することに関するいくつかの機能を実行するように適合された回路および/またはプログラミング(たとえば、記憶媒体804上に記憶された、送信するためのコード828)を含み得る。いくつかの実装形態では、送信するための回路/モジュール822は、パイロット構造の表示を送信するように構成される。最初に、送信するための回路/モジュール822は、送信されることになるデータを取得する。たとえば、送信するための回路/モジュール822は、このデータを、装置の構成要素(たとえば、メモリデバイス808、パイロット構造を決定するための回路/モジュール820、または何らかの他の構成要素)から取得することができる。いくつかの実装形態では、送信するための回路/モジュール822は、送信されることになるデータを処理する(たとえば、符号化する)。次いで、送信するための回路/モジュール822はデータを送信させる。たとえば、送信するための回路/モジュール822は、後続の無線周波数(RF)送信のためにデータを送信機814に渡すことができる。いくつかの実装形態では、送信機814は、送信するための回路/モジュール822および/または送信するためのコード828を含む。
【００７９】
ビーム形成構成を変更するための回路/モジュール824は、たとえば、通信インターフェース802によって使用されるビーム形成構成を変更することに関するいくつかの機能を実行するように適合された回路および/またはプログラミング(たとえば、記憶媒体804上に記憶された、ビーム形成構成を変更するためのコード830)を含み得る。最初に、ビーム形成構成を変更するための回路/モジュール824は、ビーム形成構成が変更されることになるという表示を受信する。さらに、ビーム形成構成を変更するための回路/モジュール824は、新しいビーム形成構成に関するパラメータを(たとえば、メモリデバイス808、通信インターフェース802、または何らかの他の構成要素から)取得する。これらのパラメータは、たとえば、構成の対象となる各アンテナに関する振幅値および位相値を含み得る。ビーム形成構成を変更するための回路/モジュール824は、次いで、取得されたパラメータに基づいて、送信機814が無線周波数(RF)信号を送信するとき、かつ/または受信機816がRF信号を受信するときに、所望のビーム形成を提供するように送信機814および/または受信機816の少なくとも1つの構成要素(たとえば、増幅器および/または移相器)を制御する少なくとも1つの制御信号を生成する。
【００８０】
上述のように、記憶媒体804によって記憶されているプログラミングは、処理回路810によって実行されると、処理回路810に本明細書で説明する様々な機能および/またはプロセス動作のうちの1つまたは複数を実行させる。たとえば、プログラミングは、処理回路810によって実行されると、処理回路810に、様々な実装形態で、図1〜図7および図9〜図10に関して本明細書で説明する様々な機能、ステップ、および/プロセスを実行させることができる。図8に示すように、記憶媒体804は、パイロット構造を決定するためのコード826、送信するためのコード828、またはビーム形成構成を変更するためのコード830のうちの1つまたは複数を含み得る。
【００８１】
例示的なプロセス
図9は、本開示のいくつかの態様による、通信のためのプロセス900を示す。プロセス900は、基地局、アクセス端末、または何らかの他の適切な装置(デバイス)の中に位置し得る処理回路(たとえば、図8の処理回路810)内で行われ得る。いくつかの実装形態では、プロセス900は、図3の処理回路322によって実行される動作を表す。当然、本開示の範囲内の様々な態様では、プロセス900は、通信関連の動作をサポートすることが可能な任意の適切な装置によって実装され得る。
【００８２】
ブロック902において、装置(たとえば、基地局)は、パイロット密度が送信期間内で経時的に異なるパイロット構造を決定する。したがって、そのようなパイロット構造は、本明細書で論じるように、高度チャネル推定(パイロットブートストラッピング)のために使用され得る。
【００８３】
いくつかの態様では、送信期間はトラフィックバーストに対応し得る。いくつかの態様では、パイロット構造は復調基準信号(DMRS)のためであり得る。
【００８４】
いくつかの態様では、パイロット密度は、時間、周波数、または送信電力のうちの少なくとも1つに関する。たとえば、いくつかの態様では、パイロット密度は、送信期間の間に送信電力に関して異なり得る。別の例として、いくつかの態様では、パイロット密度は、送信期間の間に周波数に関して異なり得る。
【００８５】
いくつかの態様では、パイロット構造内のパイロットは、送信時間間隔(TTI)の始端部分および/または中間部分に位置し得る。いくつかの態様では、パイロット密度は送信期間の始端において、より高い可能性がある(たとえば、送信期間の始端におけるパイロット密度は送信期間の後の部分におけるパイロット密度よりも高い)。いくつかの態様では、パイロット密度は、送信期間内の異なる送信時間間隔(TTI)によって異なり得る。
【００８６】
いくつかの実装形態では、図8のパイロット構造を決定するための回路/モジュール820が、ブロック902の動作を実行する。いくつかの実装形態では、図8のパイロット構造を決定するためのコード826は、ブロック902の動作を実行するために実行される。
【００８７】
ブロック904において、装置はパイロット構造の表示を送信する。たとえば、UEとの通信を確立するとすぐ(または、ビーム形成を変更するとすぐ)、eNBは(たとえば、この表示をブロードキャストすることによって、またはこの表示をUEにユニキャストすることによって)この表示を送信する。したがって、いくつかの態様では、プロセス900は、ビーム形成構成を変更することに関連し、ビーム形成構成における変更(その変更)の結果としてパイロット構造が定義される。
【００８８】
いくつかの実装形態では、図8の送信するための回路/モジュール822がブロック904の動作を実行する。いくつかの実装形態では、図8の送信するためのコード828は、ブロック904の動作を実行するために実行される。
【００８９】
図10は、本開示のいくつかの態様による、通信のためのプロセス1000を示す。いくつかの態様では、プロセス1000は、図9のプロセス900とともに実装され得る。たとえば、プロセス1000は、少なくとも部分的に、ブロック902に関するトリガであり得る。プロセス1000は、基地局、アクセス端末、または何らかの他の適切な装置(デバイス)の中に位置し得る処理回路(たとえば、図8の処理回路810)内で行われ得る。いくつかの実装形態では、プロセス1000は、図3の処理回路322によって実行される動作を表す。当然、本開示の範囲内の様々な態様では、プロセス1000は、通信動作をサポートすることが可能な任意の適切な装置によって実装され得る。
【００９０】
ブロック1002において、装置(たとえば、基地局)はビーム形成構成を変更する。たとえば、この変更は、チャネル条件、装置および/または関連する装置の移動、障害、または何らかの他の条件の変化に起因し得る。
【００９１】
いくつかの実装形態では、図8のビーム形成構成を変更するための回路/モジュール824がブロック1002の動作を実行する。いくつかの実装形態では、図8のビーム形成構成を変更するためのコード830は、ブロック1002の動作を実行するために実行される。
【００９２】
ブロック1004において、装置は、ブロック1002におけるビーム形成構造における変更(その変更)の結果として、(たとえば、上記のブロック902におけるように)パイロット構造を定義する。たとえば、可能な最良の通信品質を提供する試みにおいて、あるビーム形成構成のための特定のパイロット構造を示すことができる。
【００９３】
いくつかの実装形態では、図8のパイロット構造を決定するための回路/モジュール820がブロック1004の動作を実行する。いくつかの実装形態では、図8の、パイロット構造を決定するためのコード826は、ブロック1004の動作を実行するために実行される。
【００９４】
例示的な装置
図11は、本開示の1つまたは複数の態様による、通信するように構成された別の装置1100の例示的なハードウェア実装形態のブロック図を示す。たとえば、装置1100は、UE、基地局(たとえば、eNB)、またはワイヤレス通信をサポートする何らかの他のタイプのデバイス内で具現化し、または実装され得る。様々な実装形態において、装置1100は、アクセス端末、アクセスポイント、または何らかの他のタイプのデバイス内で具現化し、または実装され得る。様々な実装形態において、装置1100は、モバイルフォン、スマートフォン、タブレット、ポータブルコンピュータ、サーバ、パーソナルコンピュータ、センサー、エンターテインメントデバイス、車両構成要素、医療デバイス、または回路を有する任意の他の電子デバイス内で具現化し、または実装され得る。
【００９５】
装置1100は、通信インターフェース(たとえば、少なくとも1つのトランシーバ)1102、記憶媒体1104、ユーザインターフェース1106、メモリデバイス1108(たとえば、パイロット関連の情報1118を記憶する)、および処理回路(たとえば、少なくとも1つのプロセッサ)1110を含む。様々な実装形態において、ユーザインターフェース1106は、キーパッド、ディスプレイ、スピーカー、マイクロフォン、タッチスクリーンディスプレイ、または、ユーザから入力を受け取りもしくはユーザに出力を送るための何らかの他の回路の、1つまたは複数を含み得る。通信インターフェース1102は、1つまたは複数のアンテナ1112に結合されてよく、送信機1114および受信機1116を含んでよい。一般に、図11の構成要素は、図8の装置800の対応する構成要素と同様であってよい。
【００９６】
本開示の1つまたは複数の態様によれば、処理回路1110は、本明細書で説明する装置のうちのいずれかまたはすべてのための特徴、プロセス、機能、動作および/またはルーチンのうちのいずれかまたはすべてを実行するように適合され得る。たとえば、処理回路1110は、図1〜図7および図12に関して説明するステップ、機能、および/または処理のうちのいずれかを実行するように構成され得る。本明細書で使用される場合、処理回路1110に関して「適合される」という用語は、処理回路1110が、本明細書で説明する様々な特徴による特定のプロセス、機能、動作、および/またはルーチンを実行するように構成されること、利用されること、実装されること、および/またはプログラムされることのうちの1つまたは複数を指し得る。
【００９７】
処理回路1110は、図1〜図7および図12とともに説明する動作のうちのいずれか1つを実行するための手段(たとえば、そのための構造)として機能する特定用途向け集積回路(ASIC)などの特別なプロセッサであり得る。処理回路1110は、送信するための手段および/または受信するための手段の一例として機能する。いくつかの実装形態では、処理回路1110は、図3の処理回路324の機能を組み込む。
【００９８】
装置1100の少なくとも1つの例によれば、処理回路1110は、受信するための回路/モジュール1120、チャネル推定を生成するための回路/モジュール1122、または復号するための回路/モジュール1124のうちの1つまたは複数を含み得る。いくつかの実装形態では、受信するための回路/モジュール1120、チャネル推定を生成するための回路/モジュール1122、および復号するための回路/モジュール1124は、図3の処理回路324に少なくとも部分的に対応する。
【００９９】
受信するための回路/モジュール1120は、たとえば、情報を受信することに関するいくつかの機能を実行するように適合された回路および/またはプログラミング(たとえば、記憶媒体1104上に記憶された、受信するためのコード1126)を含み得る。いくつかの実装形態では、受信するための回路/モジュール1120は、パイロット構造の表示を受信するように構成される。いくつかの実装形態では、受信するための回路/モジュール1120は、示されたパイロット構造に従ってパイロットを受信するように構成される。最初に、受信するための回路/モジュール1120は情報を取得する。たとえば、受信するための回路/モジュール1120は、この情報を装置の構成要素(たとえば、受信機1116、メモリデバイス1108、または何らかの他の構成要素)から、またはこの情報を送信したデバイス(たとえば、基地局、ユーザデバイスなど)から直接取得することができる。いくつかの実装形態では、受信するための回路/モジュール1120は、メモリデバイス1108または何らかの他の構成要素内のロケーションを特定し、そのロケーションの読取りを起動して情報を受信する。いくつかの実装形態では、受信するための回路/モジュール1120は、受信された情報を処理する(たとえば、復号する)。受信するための回路/モジュール1120は、受信された情報を出力する(たとえば、情報をメモリデバイス1108内に記憶する、または情報を装置1100の別の構成要素に送る)。いくつかの実装形態では、受信機1116は、受信するための回路/モジュール1120および/または受信するためのコード1126を含む。
【０１００】
チャネル推定を生成するための回路/モジュール1122は、たとえば、受信された情報(たとえば、受信されたパイロット)に基づいてチャネル推定を生成することに関するいくつかの機能を実行するように適合された回路および/またはプログラミング(たとえば、記憶媒体1104上に記憶された、チャネル推定を生成するためのコード1128)を含み得る。最初に、チャネル推定を生成するための回路/モジュール1122は、受信された情報を取得する。たとえば、チャネル推定を生成するための回路/モジュール1122は、この情報を装置の構成要素(たとえば、メモリデバイス1108、受信機1116、受信するための回路/モジュール1120、または何らかの他の構成要素)から、またはこの情報を送信するデバイス(たとえば、基地局、ユーザデバイスなど)から直接取得することができる。チャネル推定を生成するための回路/モジュール1122は、次いで、最初に送信された情報に関して知られている情報ならびに送信機パラメータおよび受信機パラメータに基づいて、情報が受信されたチャネルを推定する。最終的に、チャネル推定を生成するための回路/モジュール1122は、チャネル推定を装置1100の構成要素(たとえば、メモリデバイス1108、復号するための回路/モジュール1124、または何らかの他の構成要素)に出力する。いくつかの実装形態では、通信インターフェース1102は、チャネル推定を生成するための回路/モジュール1122および/またはチャネル推定を生成するためのコード1128を含む。
【０１０１】
復号するための回路/モジュール1124は、TTIの終了に先立ってTTIからのデータを復号するように適合された回路および/またはプログラミング(たとえば、記憶媒体1104上に記憶された、復号するためのコード1130)を含み得る。最初に、復号するための回路/モジュール1124は受信された情報を取得する。たとえば、復号するための回路/モジュール1124は、この情報を装置1100の構成要素(たとえば、メモリデバイス1108、受信機1116、受信するための回路/モジュール1120、または何らかの他の構成要素)から、またはこの情報を送信したデバイス(たとえば、基地局、ユーザデバイスなど)から直接取得することができる。いくつかの実装形態では、復号するための回路/モジュール1124は、メモリデバイス1108内の値のメモリロケーションを識別して、そのロケーションの読取りを起動する。いずれの場合も、復号するための回路/モジュール1124は、TTIの終了に先立って所与のTTIに関して受信された情報の処理を開始する。たとえば、復号するための回路/モジュール1124は、受信することになるTTI全体を待つことなく、TTIの始端または中間部分において、またはその近くで受信されたパイロットを処理することができる。復号するための回路/モジュール1124は、次いで、復号された情報を装置1100の構成要素(たとえば、メモリデバイス1108、または何らかの他の構成要素)に出力する。いくつかの実装形態では、受信機1116は、復号するための回路/モジュール1124および/または復号するためのコード1130を含む。
【０１０２】
上述のように、記憶媒体1104によって記憶されているプログラミングは、処理回路1110によって実行されると、処理回路1110に本明細書で説明する様々な機能および/またはプロセス動作のうちの1つまたは複数を実行させる。たとえば、プログラミングは、処理回路1110によって実行されると、処理回路1110に、様々な実装形態で、図1〜図7および図12に関して本明細書で説明する様々な機能、ステップ、および/プロセスを実行させることができる。図11に示すように、記憶媒体1104は、受信するためのコード1126、チャネル推定を生成するためのコード1128、または復号するためのコード1130のうちの1つまたは複数を含み得る。
【０１０３】
例示的なプロセス
図12は、本開示のいくつかの態様による、通信のためのプロセス1200を示す。いくつかの態様では、プロセス1200は、図9のプロセス900を補完するものであり得る。プロセス1200は、基地局、アクセス端末、または何らかの他の適切な装置の中に位置し得る処理回路(たとえば、図11の処理回路1110)内で行われ得る。いくつかの実装形態では、プロセス1200は、図3の処理回路322によって実行される動作を表す。当然、本開示の範囲内の様々な態様では、プロセス1200は、通信動作をサポートすることが可能な任意の適切な装置によって実装され得る。
【０１０４】
ブロック1202において、装置(たとえば、UE)は、パイロット密度が送信期間内で経時的に異なるパイロット構造の表示を受信する。たとえば、UEは、(たとえば、図9のブロック904とともに上で論じたように)eNBによって送信された表示を受信することができる。
【０１０５】
いくつかの態様では、パイロット密度は、時間、周波数、または送信電力のうちの少なくとも1つに関する。いくつかの態様では、パイロット密度は、送信期間の始端において、より高い(たとえば、送信期間の始端におけるパイロット密度は送信期間の後の部分におけるパイロット密度よりも高い)。
【０１０６】
いくつかの実装形態では、図11の受信するための回路/モジュール1120がブロック1202の動作を実行する。いくつかの実装形態では、図11の受信するためのコード1126は、ブロック1202の動作を実行するために実行される。
【０１０７】
ブロック1204において、装置は、示されたパイロット構造に従ってパイロットを受信する。たとえば、UEは、示されたパイロット構造によって特定された時間および/または周波数において送信されたパイロットを受信することができる。いくつかの態様では、パイロットは復調基準信号(DMRS)であり得る。いくつかの態様では、パイロット構造内のパイロットは、送信時間間隔(TTI)の始端および/または中間部分に位置する。
【０１０８】
いくつかの実装形態では、図11の受信するための回路/モジュール1120がブロック1204の動作を実行する。いくつかの実装形態では、図11の受信するためのコード1126は、ブロック1204の動作を実行するために実行される。
【０１０９】
ブロック1206において、装置は、受信されたパイロットに基づいてチャネル推定を生成する。いくつかの態様では、装置は、TTIの終了に先立って受信されたパイロットに基づいてチャネル推定を生成する。
【０１１０】
いくつかの実装形態では、図11のチャネル推定を生成するための回路/モジュール1122がブロック1206の動作を実行する。いくつかの実装形態では、図11のチャネル推定を生成するためのコード1128は、ブロック1206の動作を実行するために実行される。
【０１１１】
オプションのブロック1208において、装置は、TTIの終了に先立ってTTIからのデータを復号することができる。いくつかの態様では、この復号は、ブロック1206において生成されたチャネル推定に基づき得る。
【０１１２】
いくつかの実装形態では、図11の復号するための回路/モジュール1124がブロック1208の動作を実行する。いくつかの実装形態では、図11の復号するためのコード1130がブロック1208の動作を実行するために実行される。
【０１１３】
例示的な装置
図13は、本開示の1つまたは複数の態様に従って通信するように構成された別の装置1300のある例示的なハードウェア実装形態のブロック図を示す。たとえば、装置1300は、基地局(たとえば、eNB)、UE、またはワイヤレス通信をサポートする何らかの他のタイプのデバイス内で、具現化し、または実装され得る。様々な実装形態において、装置1300は、アクセス端末、アクセスポイント、または何らかの他のタイプのデバイス内で具現化し、または実装され得る。様々な実装形態において、装置1300は、モバイルフォン、スマートフォン、タブレット、ポータブルコンピュータ、サーバ、パーソナルコンピュータ、センサー、エンターテインメントデバイス、車両構成要素、医療デバイス、または回路を有する任意の他の電子デバイス内で具現化し、または実装され得る。
【０１１４】
装置1300は、通信インターフェース(たとえば、少なくとも1つのトランシーバ)1302、記憶媒体1304、ユーザインターフェース1306、メモリデバイス1308(たとえば、パイロット関連の情報1318を記憶する)、および処理回路(たとえば、少なくとも1つのプロセッサ)1310を含む。様々な実装形態において、ユーザインターフェース1306は、キーパッド、ディスプレイ、スピーカー、マイクロフォン、タッチスクリーンディスプレイ、または、ユーザから入力を受け取りもしくはユーザに出力を送るための何らかの他の回路のうちの1つまたは複数を含み得る。通信インターフェース1302は、1つまたは複数のアンテナ1312に結合されてよく、送信機1314および受信機1316を含んでよい。一般に、図13の構成要素は、図8の装置800の対応する構成要素と同様であってよい。
【０１１５】
本開示の1つまたは複数の態様によれば、処理回路1310は、本明細書で説明する装置のいずれかまたはすべてのための特徴、プロセス、機能、動作および/またはルーチンのいずれかまたはすべてを実行するように適合され得る。たとえば、処理回路1310は、図1〜図7および図14〜図16に関して説明するステップ、機能、および/またはプロセスのいずれかを実行するように構成され得る。本明細書で使用される場合、処理回路1310に関して「適合される」という用語は、処理回路1310が、本明細書で説明する様々な特徴による特定のプロセス、機能、動作、および/またはルーチンを実行するように構成されること、採用されること、実装されること、および/またはプログラムされることのうちの1つまたは複数を指し得る。
【０１１６】
処理回路1310は、図1〜図7および図14〜図16とともに説明する動作のうちのいずれか1つを実行するための手段(たとえば、そのための構造)として機能する特定用途向け集積回路(ASIC)などの、特別なプロセッサであり得る。処理回路1310は、送信するための手段および/または受信するための手段の一例として機能する。様々な実装形態では、処理回路1310は、図5の処理回路522、図6の処理回路622、または図7の処理回路722の機能を組み込むことができる。
【０１１７】
装置1300の少なくとも1つの例によれば、処理回路1310は、パイロット構造が連続TTIに関して指定されていると決定するための回路/モジュール1320、送信するための回路/モジュール1322、PRBバンドルを特定するための回路/モジュール1324、パイロット構造を選択するための回路/モジュール1326、またはTPRを決定するための回路/モジュール1328のうちの1つまたは複数を含み得る。様々な実装形態では、パイロット構造が連続TTIに関して指定されていると決定するための回路/モジュール1320、送信するための回路/モジュール1322、PRBバンドルを特定するための回路/モジュール1324、パイロット構造を選択するための回路/モジュール1326、およびTPRを決定するための回路/モジュール1328は、図5の処理回路522、図6の処理回路622、または図7の処理回路722に少なくとも部分的に対応し得る。
【０１１８】
パイロット構造が連続TTIに関して指定されていると決定するための回路/モジュール1320は、たとえば、特定のパイロット構造が連続送信時間間隔(TTI)に関して指定されていると決定することに関するいくつかの機能を実行するように適合された回路および/またはプログラミング(たとえば、記憶媒体1304上に記憶された、パイロット構造が連続TTIに関して指定されていると決定するためのコード1330)を含み得る。最初に、パイロット構造が連続TTIに関して指定されていると決定するための回路/モジュール1320は、連続TTIが同様であることを示す情報を(たとえば、メモリデバイス1308、通信インターフェース1302、または装置1300の何らかの他の構成要素から)取得する。たとえば、この情報は、通信インターフェース1302が連続TTIに関して同じビーム形成構成を使用することになることを示すことができる。パイロット構造が連続TTIに関して指定されていると決定するための回路/モジュール1320は、その情報に基づいて、連続TTIのパイロット構造が同じになるかどうかを決定することができる。パイロット構造が連続TTIに関して指定されていると決定するための回路/モジュール1320は、このようにして、受信デバイスが後のTTIに関連するチャネル推定のために前のTTIからのパイロットを使用することができるかどうかを判定することができる。さらに、パイロット構造が連続TTIに関して指定されていると決定するための回路/モジュール1320は、決定(たとえば、連続TTIに関して同じパイロット構造が使用されるかどうか、および/またはチャネル推定のために前のTTIからのパイロットが使用され得るかどうか)の表示を装置1300の構成要素(たとえば、メモリデバイス1308、送信機1314、送信するための回路/モジュール1322、または何らかの他の構成要素)に出力する。
【０１１９】
送信するための回路/モジュール1322は、たとえば、表示または他の情報を送信することに関するいくつかの機能を実行するように適合された回路および/またはプログラミング(たとえば、記憶媒体1304上に記憶された、送信するためのコード1332)を含み得る。いくつかの実装形態では、送信するための回路/モジュール1322は、チャネル推定のために前のTTIからのパイロットが使用され得るという表示を送信するように構成される。いくつかの実装形態では、送信するための回路/モジュール1322は、選択されたパイロット構造の表示を送信するように構成される。いくつかの実装形態では、送信するための回路/モジュール1322は、トラフィック対パイロット比の表示を送信するように構成される。最初に、送信するための回路/モジュール1322は、送信されことになるデータを取得する。たとえば、送信するための回路/モジュール1322は、このデータを装置の構成要素(たとえば、メモリデバイス1308、パイロット構造が連続TTIに関して指定されていると決定するための回路/モジュール1320、パイロット構造を選択するための回路/モジュール1326、TPRを決定するための回路/モジュール1328、または何らかの他の構成要素)から取得することができる。いくつかの実装形態では、送信するための回路/モジュール1322は、送信されることになるデータを処理する(たとえば、符号化する)。次いで、送信するための回路/モジュール1322は、データを送信させる。たとえば、送信するための回路/モジュール1322は、後続の無線周波数(RF)送信のためにデータを送信機1314に渡すことができる。いくつかの実装形態では、送信機1314は、送信するための回路/モジュール1322および/または送信するためのコード1332を含む。
【０１２０】
PRBバンドルを特定するための回路/モジュール1324は、たとえば、少なくとも1つの物理リソースブロック(PRB)を含むPRBバンドルを特定することに関するいくつかの機能を実行するように適合された回路および/またはプログラミング(たとえば、記憶媒体1304上に記憶された、PRBバンドルを特定するためのコード1334)を含み得る。最初に、PRBバンドルを特定するための回路/モジュール1324は、(たとえば、通信インターフェース1302、または何らかの他の構成要素から受信された、メモリデバイス1308内に記憶された情報に基づいて)将来の通信に関するリソース要件に関する情報を取得する。PRBバンドルを特定するための回路/モジュール1324は、次いで、上で論じたPRBバンドリング動作に基づいて、この通信のために使用されることになるPRBバンドル(たとえば、広帯域バンドル)を選択する。PRBバンドルを特定するための回路/モジュール1324は、次いで、特定されたPRBバンドルの表示を装置1300の構成要素(たとえば、メモリデバイス1308、パイロット構造を選択するための回路/モジュール1326、または何らかの他の構成要素)に送る。
【０１２１】
パイロット構造を選択するための回路/モジュール1326は、たとえば、特定されたPRBバンドルに基づいて、パイロット構造を選択することに関するいくつかの機能を実行するように適合された回路および/またはプログラミング(たとえば、記憶媒体1304上に記憶された、パイロット構造を選択するためのコード1336)を含み得る。最初に、パイロット構造を選択するための回路/モジュール1326は、将来の通信のために使用されることになるPRBバンドルに関する情報を(たとえば、メモリデバイス1308、PRBバンドルを特定するための回路/モジュール1324、または何らかの他の構成要素から)取得する。パイロット構造を選択するための回路/モジュール1326は、次いで、PRBバンドルに対応するこの通信のために使用されることになるパイロット構造を選択する。たとえば、パイロット構造を選択するための回路/モジュール1326は、広帯域通信のためにPRBバンドルにわたってパイロットが均一に拡散されたパイロット構造を特定することができる。パイロット構造を選択するための回路/モジュール1326は、次いで、選択されたパイロット構造の表示を装置1300の構成要素(たとえば、メモリデバイス1308、送信機1314、送信するための回路/モジュール1322、または何らかの他の構成要素)に出力する。
【０１２２】
TPRを決定するための回路/モジュール1328は、たとえば、復調基準信号(DMRS)に関するトラフィック対パイロット比(TPR)を決定することに関するいくつかの機能を実行するように適合された回路および/またはプログラミング(たとえば、記憶媒体1304に記憶された、TPRを決定するためのコード1338)を含み得る。最初に、TPRを決定するための回路/モジュール1328は、チャネル条件に関する情報を(たとえば、メモリデバイス1308、通信インターフェース1302、または何らかの他の構成要素から)取得する。TPRを決定するための回路/モジュール1328は、次いで、これらのチャネル条件に基づいてTPRを選択する。たとえば、TPRを決定するための回路/モジュール1328は、特定のSNRターゲット、エラーレートターゲット、または何らかの他の通信要因を満たすためにTPRを選択することができる。具体的には、TPRを決定するための回路/モジュール1328は、異なるMCS、ランク、レートなどに関してDMRS電力を最適化することができる。TPRを決定するための回路/モジュール1328は、次いで、決定されたTPRの表示を装置1300の構成要素(たとえば、メモリデバイス1308、送信機1314、送信するための回路/モジュール1322、または何らかの他の構成要素)に出力する。
【０１２３】
上述のように、記憶媒体1304によって記憶されているプログラミングは、処理回路1310によって実行されると、処理回路1310に本明細書で説明する様々な機能および/またはプロセス動作のうちの1つまたは複数を実行させる。たとえば、プログラミングは、処理回路1310によって実行されると、処理回路1310に、様々な実装形態で、図1〜図7および図14〜図16に関して本明細書で説明する様々な機能、ステップ、および/プロセスを実行させることができる。図13に示すように、記憶媒体1304は、パイロット構造が連続TTIに関して指定されていると決定するためのコード1330、送信するためのコード1332、PRBバンドルを特定するためのコード1334、パイロット構造を選択するためのコード1336、またはTPRを決定するためのコード1338のうちの1つまたは複数を含み得る。
【０１２４】
例示的なプロセス
図14は、本開示のいくつかの態様による、通信のためのプロセス1400を示す。いくつかの実装形態では、プロセス1400は、図9のプロセス900に加えて(たとえば、それととともに)実行され得る。プロセス1400は、基地局、アクセス端末、または何らかの他の適切な装置の中に位置し得る処理回路(たとえば、図13の処理回路1310)内で行われ得る。いくつかの実装形態では、プロセス1400は、図5の処理回路522によって実行される動作を表す。
当然、本開示の範囲内の様々な態様では、プロセス1400は、通信動作をサポートすることが可能な任意の適切な装置によって実装され得る。
【０１２５】
ブロック1402において、装置(たとえば、基地局)は、特定のパイロット構造が連続送信時間間隔(TTI)に関して指定されていると決定する。すなわち、装置は、連続TTIに関するパイロット構造が同じであると決定する。たとえば、eNBは、あるTTIから次のTTIにビーム形成が変化しないこと(または、変化していないこと)、したがって、パイロット構造が変化しないこと(または、変化していないこと)を決定することができる。
【０１２６】
いくつかの実装形態では、図13のパイロット構造が連続TTIに関して指定されていると決定するための回路/モジュール1320がブロック1402の動作を実行する。いくつかの実装形態では、図13のパイロット構造が連続TTIに関して指定されていると決定するためのコード1330は、ブロック1402の動作を実行するために実行される。
【０１２７】
ブロック1404において、装置は、チャネル推定のために前のTTIからのパイロットが使用され得るという表示を送信する。いくつかの態様では、装置は、ブロック1402の決定の結果としてこの表示を送信する。例示的な実装形態では、eNBは(たとえば、この表示をブロードキャストすることによって、またはこの表示をUEにユニキャストすることによって)この表示を送信する。いくつかの態様では、パイロットは復調基準信号(DMRS)であり得る。
【０１２８】
いくつかの実装形態では、図13の送信するための回路/モジュール1322がブロック1404の動作を実行する。いくつかの実装形態では、図13の送信するためのコード1332は、ブロック1404の動作を実行するために実行される。
【０１２９】
図15は、本開示のいくつかの態様による、通信のためのプロセス1500を示す。いくつかの実装形態では、プロセス1500は、図9のプロセス900に加えて(たとえば、それととともに)実行され得る。プロセス1500は、基地局、アクセス端末、または何らかの他の適切な装置の中に位置し得る処理回路(たとえば、図13の処理回路1310)内で行われ得る。いくつかの実装形態では、プロセス1500は、図6の処理回路622によって実行される動作を表す。当然、本開示の範囲内の様々な態様では、プロセス1500は、通信動作をサポートすることが可能な任意の適切な装置によって実装され得る。
【０１３０】
ブロック1502において、装置(たとえば、基地局)は物理リソースブロック(PRB)バンドルを特定する。PRBバンドルは少なくとも1つのPRBを含む。
【０１３１】
いくつかの実装形態では、図13のPRBバンドルを特定するための回路/モジュール1324がブロック1502の動作を実行する。いくつかの実装形態では、図13のPRBバンドルを特定するためのコード1334は、ブロック1502の動作を実行するために実行される。
【０１３２】
ブロック1504において、装置は、特定されたPRBバンドルに基づいてパイロット構造を選択する。いくつかの態様では、パイロット構造の選択は、PRBバンドルの帯域幅に基づいてパイロットに関する空間を選択することを含む。いくつかの態様では、パイロット構造は復調基準信号(DMRS)のためである。様々なシナリオでは、選択されたパイロット構造は、図9のブロック902において決定されたパイロット構造と同じであってよく、または異なってもよい(たとえば、選択されたパイロット構造は別のパイロット構造であってよい)。
【０１３３】
いくつかの実装形態では、図13のパイロット構造を選択するための回路/モジュール1326がブロック1504の動作を実行する。いくつかの実装形態では、図13の、パイロット構造を選択するためのコード1336は、ブロック1504の動作を実行するために実行される。
【０１３４】
ブロック1506において、装置は選択されたパイロット構造(たとえば、選択された他のパイロット構造)の表示を送信する。たとえば、装置は、この表示をブロードキャストするかまたはこの表示をUEにユニキャストすることができる。いくつかの態様では、この表示はプリコーディング行列インジケータ(PMI)であり得る。いくつかの態様では、この表示は近傍リソースブロック(RB)PMI間の差異を示す。
【０１３５】
いくつかの実装形態では、図13の送信するための回路/モジュール1322がブロック1506の動作を実行する。いくつかの実装形態では、図13の送信するためのコード1332は、ブロック1506の動作を実行するために実行される。
【０１３６】
図16は、本開示のいくつかの態様による、通信のためのプロセス1600を示す。いくつかの実装形態では、プロセス1600は、図9のプロセス900に加えて(たとえば、それととともに)実行され得る。プロセス1600は、基地局、アクセス端末、または何らかの他の適切な装置の中に位置し得る処理回路(たとえば、図13の処理回路1310)内で行われ得る。いくつかの実装形態では、プロセス1600は、図7の処理回路722によって実行される動作を表す。当然、本開示の範囲内の様々な態様では、プロセス1600は、通信動作をサポートすることが可能な任意の適切な装置によって実装され得る。
【０１３７】
ブロック1602において、装置(たとえば、基地局)は、復調基準信号(DMRS)に関するトラフィック対パイロット比(TPR)を決定する。いくつかの態様では、TPRは、変調およびコーディング方式(MCS)、ランク、またはレートのうちの少なくとも1つに基づいて決定される。
【０１３８】
いくつかの実装形態では、図13のTPRを決定するための回路/モジュール1328がブロック1602の動作を実行する。いくつかの実装形態では、図13のTPRを決定するためのコード1338は、ブロック1602の動作を実行するために実行される。
【０１３９】
ブロック1604において、装置はTPRの表示を送信する。たとえば、装置は、この表示をブロードキャストするかまたはこの表示をUEにユニキャストすることができる。
【０１４０】
いくつかの実装形態では、図13の送信するための回路/モジュール1322がブロック1604の動作を実行する。いくつかの実装形態では、図13の送信するためのコード1332は、ブロック1604の動作を実行するために実行される。
【０１４１】
例示的な装置
図17は、本開示の1つまたは複数の態様による、通信するように構成された装置1700の別の例示的なハードウェア実装形態のブロック図を示す。たとえば、装置1700は、UE、基地局(たとえば、eNB)、またはワイヤレス通信をサポートする何らかの他のタイプのデバイス内で具現化し、または実装され得る。様々な実装形態において、装置1700は、アクセス端末、アクセスポイント、または何らかの他のタイプのデバイス内で具現化し、または実装され得る。様々な実装形態において、装置1700は、モバイルフォン、スマートフォン、タブレット、ポータブルコンピュータ、サーバ、パーソナルコンピュータ、センサー、エンターテインメントデバイス、車両構成要素、医療デバイス、または回路を有する任意の他の電子デバイス内で具現化し、または実装され得る。
【０１４２】
装置1700は、通信インターフェース(たとえば、少なくとも1つのトランシーバ)1702、記憶媒体1704、ユーザインターフェース1706、メモリデバイス1708(たとえば、パイロット関連の情報1718を記憶する)、および処理回路(たとえば、少なくとも1つのプロセッサ)1710を含む。様々な実装形態において、ユーザインターフェース1706は、キーパッド、ディスプレイ、スピーカー、マイクロフォン、タッチスクリーンディスプレイ、または、ユーザから入力を受け取りもしくはユーザに出力を送るための何らかの他の回路の、1つまたは複数を含み得る。通信インターフェース1702は、1つまたは複数のアンテナ1712に結合されてよく、送信機1714および受信機1716を含んでよい。一般に、図17の構成要素は、図8の装置800の対応する構成要素と同様であってよい。
【０１４３】
本開示の1つまたは複数の態様によれば、処理回路1710は、本明細書で説明する装置のうちのいずれかまたはすべてのための特徴、プロセス、機能、動作および/またはルーチンのうちのいずれかまたはすべてを実行するように適合され得る。たとえば、処理回路1710は、図1〜図7および図18〜図20に関して説明するステップ、機能、および/または処理のうちのいずれかを実行するように構成され得る。本明細書で使用される場合、処理回路1710に関して「適合される」という用語は、処理回路1710が、本明細書で説明する様々な特徴に従って、特定のプロセス、機能、動作、および/またはルーチンを実行するように構成されること、利用されること、実装されること、および/またはプログラムされることの1つまたは複数を指し得る。
【０１４４】
処理回路1710は、図1〜図7および図18〜図20とともに説明する動作のうちのいずれか1つを実行するための手段(たとえば、そのための構造)として機能する特定用途向け集積回路(ASIC)などの特別なプロセッサであり得る。処理回路1710は、送信するための手段および/または受信するための手段の一例として機能する。様々な実装形態では、処理回路1710は、図5の処理回路524、図6の処理回路624、または図7の処理回路724の機能を組み込むことができる。
【０１４５】
装置1700の少なくとも1つの例によれば、処理回路1710は、受信するための回路/モジュール1720、チャネル推定を生成するための回路/モジュール1722、送信電力を選択するための回路/モジュール1724、または送信するための回路/モジュール1726のうちの1つまたは複数を含み得る。様々な実装形態では、受信するための回路/モジュール1720、チャネル推定を生成するための回路/モジュール1722、送信電力を選択するための回路/モジュール1724、または送信するための回路/モジュール1726は、図5の処理回路524、図6の処理回路624、または図7の処理回路724に少なくとも部分的に対応し得る。
【０１４６】
受信するための回路/モジュール1720は、たとえば、情報を受信することに関するいくつかの機能を実行するように適合された回路および/またはプログラミング(たとえば、記憶媒体1704上に記憶された、受信するためのコード1728)を含み得る。いくつかの実装形態では、受信するための回路/モジュール1720は、チャネル推定のために前のTTIからのパイロットが使用され得るという表示を受信するように構成される。いくつかの実装形態では、受信するための回路/モジュール1720はTTIを受信するように構成される。いくつかの実装形態では、受信するための回路/モジュール1720は、PRBバンドルに基づいて選択されたパイロット構造の表示を受信するように構成される。いくつかの実装形態では、受信するための回路/モジュール1720は、パイロット構造の受信された表示に従ってパイロットを受信するように構成される。いくつかの実装形態では、受信するための回路/モジュール1720は、DMRSに関するTPRの表示を受信するように構成される。最初に、受信するための回路/モジュール1720は情報を取得する。たとえば、受信するための回路/モジュール1720は、この情報を装置の構成要素(たとえば、メモリデバイス1708、受信機1716、または何らかの他の構成要素)から、またはこの情報を送信したデバイス(たとえば、基地局、ユーザデバイスなど)から直接取得することができる。いくつかの実装形態では、受信するための回路/モジュール1720は、メモリデバイス1708または何らかの他の構成要素内のロケーションを特定し、そのロケーションの読取りを起動して情報を受信する。いくつかの実装形態では、受信するための回路/モジュール1720は、受信された情報を処理する(たとえば、復号する)。受信するための回路/モジュール1720は、次いで、受信された情報を装置1700の構成要素(たとえば、メモリデバイス1708、チャネル推定を生成するための回路/モジュール1722、送信電力を選択するための回路/モジュール1724、または何らかの他の構成要素)に出力する。いくつかの実装形態では、受信機1716は、受信するための回路/モジュール1720および/または受信するためのコード1728を含む。
【０１４７】
チャネル推定を生成するための回路/モジュール1722は、たとえば、受信された情報に基づいてチャネル推定を生成することに関するいくつかの機能を実行するように適合された回路および/またはプログラミング(たとえば、記憶媒体1704上に記憶された、チャネル推定を生成するためのコード1730)を含み得る。いくつかの実装形態では、チャネル推定を生成するための回路/モジュール1722は、第1のTTIからのパイロットに少なくとも部分的に基づいて、第2のTTIからのデータを復号するためにチャネル推定を生成するように構成される。いくつかの実装形態では、チャネル推定を生成するための回路/モジュール1722は、受信されたパイロットに基づいてチャネル推定を生成するように構成される。最初に、チャネル推定を生成するための回路/モジュール1722は、受信された情報(たとえば、パイロット情報)を取得する。たとえば、チャネル推定を生成するための回路/モジュール1722は、この情報を装置の構成要素(たとえば、メモリデバイス1708、受信機1716、受信するための回路/モジュール1720、または何らかの他の構成要素)から、またはこの情報を送信するデバイス(たとえば、基地局、ユーザデバイスなど)から直接取得することができる。チャネル推定を生成するための回路/モジュール1722は、次いで、最初に送信された情報に関して知られている情報ならびに送信機パラメータおよび受信機パラメータに基づいて、情報が受信されたチャネルを推定する。最終的に、チャネル推定を生成するための回路/モジュール1722は、チャネル推定を出力する(たとえば、チャネル推定情報をメモリデバイス1708内に記憶する、または情報を装置1700の別の構成要素に送る)。いくつかの実装形態では、通信インターフェース1702は、チャネル推定を生成するための回路/モジュール1722および/またはチャネル推定を生成するためのコード1730を含む。
【０１４８】
送信電力を選択するための回路/モジュール1724は、たとえば、復調基準信号(DMRS)に関するトラフィック対パイロット比(TPR)に基づいて送信電力を選択することに関するいくつかの機能を実行するように適合された回路および/またはプログラミング(たとえば、記憶媒体1704上に記憶された、送信電力を選択するためのコード1732)を含み得る。最初に、送信電力を選択するための回路/モジュール1724は、TPR表示を(たとえば、メモリデバイス1708、受信機1716、受信するための回路/モジュール1720、または何らかの他の構成要素から)取得する。送信電力を選択するための回路/モジュール1724は、次いで、TPRおよび他の電力関連の情報(たとえば、パイロット電力)に基づいて送信電力を選択する。最終的に、送信電力を選択するための回路/モジュール1724は、選択された送信電力の表示を装置1700の構成要素(たとえば、メモリデバイス1708、送信機1714、送信するための回路/モジュール1726、または何らかの他の構成要素)に出力する。
【０１４９】
送信するための回路/モジュール1726は、たとえば、選択または送信電力に従って信号を送信することに関するいくつかの機能を実行するように適合された回路および/またはプログラミング(たとえば、記憶媒体1704上に記憶された、送信するためのコード1734)を含み得る。最初に、送信するための回路/モジュール1726は、送信されることになるデータおよび選択された送信電力の表示を取得する。たとえば、送信するための回路/モジュール1726は、このデータおよび表示を、装置の構成要素(たとえば、メモリデバイス1708、送信電力を選択するための回路/モジュール1732、または何らかの他の構成要素)から取得することができる。いくつかの実装形態では、送信するための回路/モジュール1726は、送信されることになるデータを処理する(たとえば、符号化する)。次いで、送信するための回路/モジュール1726は、示された送信電力でデータを送信させる。たとえば、送信するための回路/モジュール1726は、後続の無線周波数(RF)送信のためにデータおよび送信電力の表示を送信機1714に渡すことができる。いくつかの実装形態では、送信機1714は、送信するための回路/モジュール1726および/または送信するためのコード1734を含む。
【０１５０】
上述のように、記憶媒体1704によって記憶されているプログラミングは、処理回路1710によって実行されると、処理回路1710に本明細書で説明する様々な機能および/またはプロセス動作のうちの1つまたは複数を実行させる。たとえば、プログラミングは、処理回路1710によって実行されると、処理回路1710に、様々な実装形態で、図1〜図7および図18〜図20に関して本明細書で説明する様々な機能、ステップ、および/またはプロセスを実行させることができる。図17に示すように、記憶媒体1704は、受信するためのコード1728、チャネル推定を生成するためのコード1730、送信電力を選択するためのコード1732、または送信するためのコード1734のうちの1つまたは複数を含み得る。
【０１５１】
例示的なプロセス
図18は、本開示のいくつかの態様による、通信のためのプロセス1800を示す。いくつかの実装形態では、プロセス1800は、図12のプロセス1200に加えて(たとえば、それととともに)実行され得る。プロセス1800は、アクセス端末、基地局、または何らかの他の適切な装置の中に位置し得る処理回路(たとえば、図17の処理回路1710)内で行われ得る。いくつかの実装形態では、プロセス1800は、図5の処理回路524によって実行される動作を表す。当然、本開示の範囲内の様々な態様では、プロセス1800は、通信動作をサポートすることが可能な任意の適切な装置によって実装され得る。
【０１５２】
ブロック1802において、装置(たとえば、UE)は、チャネル推定のために前の送信時間間隔(TTI)からのパイロットが使用され得るという表示を受信する。たとえば、UEは、(たとえば、図14のブロック1404とともに上で論じたように)eNBによって送信された表示を受信することができる。
【０１５３】
いくつかの実装形態では、図17の受信するための回路/モジュール1720がブロック1802の動作を実行する。いくつかの実装形態では、図17の受信するためのコード1728は、ブロック1802の動作を実行するために実行される。
【０１５４】
ブロック1804において、装置は第1のTTIの間に受信する。たとえば、装置はフレームの第1のTTIを受信する。
【０１５５】
いくつかの実装形態では、図17の受信するための回路/モジュール1720がブロック1804の動作を実行する。いくつかの実装形態では、図17の受信するためのコード1728は、ブロック1804の動作を実行するために実行される。
【０１５６】
ブロック1806において、装置は、第1のTTIの間の受信の後に、第2のTTIの間に受信する。たとえば、装置はフレームの第2のTTIを受信することができる。
【０１５７】
いくつかの実装形態では、図17の受信するための回路/モジュール1720がブロック1806の動作を実行する。いくつかの実装形態では、図17の受信するためのコード1728は、ブロック1806の動作を実行するために実行される。
【０１５８】
ブロック1808において、装置は、第1のTTIからのパイロットに基づいて、第2のTTIからのデータを復号するためのチャネル推定を生成する。いくつかの態様では、パイロットは復調基準信号(DMRS)であり得る。
【０１５９】
いくつかの実装形態では、図17のチャネル推定を生成するための回路/モジュール1722がブロック1808の動作を実行する。いくつかの実装形態では、図17のチャネル推定を生成するためのコード1730は、ブロック1808の動作を実行するために実行される。
【０１６０】
図19は、本開示のいくつかの態様による、通信のためのプロセス1900を示す。いくつかの実装形態では、プロセス1900は、図12のプロセス1200に加えて(たとえば、それととともに)実行され得る。プロセス1900は、アクセス端末、基地局、または何らかの他の適切な装置の中に位置し得る処理回路(たとえば、図17の処理回路1710)内で行われ得る。いくつかの実装形態では、プロセス1900は、図6の処理回路624によって実行される動作を表す。当然、本開示の範囲内の様々な態様では、プロセス1900は、通信動作をサポートすることが可能な任意の適切な装置によって実装され得る。
【０１６１】
ブロック1902において、装置(たとえば、UE)が表示を受信する。たとえば、UEは、(たとえば、図15のブロック1506とともに上で論じたように)eNBによって送信された表示を受信することができる。この表示は、少なくとも1つの物理リソースブロック(PRB)を含むPRBバンドルに基づいて選択されたパイロット構造のものである。いくつかの態様では、パイロット構造によって定義されるパイロットに関する間隔はPRBバンドルの帯域幅に基づく。いくつかの態様では、この表示はプリコーディング行列インジケータ(PMI)であり得る。いくつかの態様では、この表示は近傍リソースブロック(RB)PMI間の差異を示す。
【０１６２】
いくつかの実装形態では、図17の受信するための回路/モジュール1720がブロック1902の動作を実行する。いくつかの実装形態では、図17の受信するためのコード1728は、ブロック1902の動作を実行するために実行される。
【０１６３】
ブロック1904において、装置は、(たとえば、eNBから)示されたパイロット構造に従ってパイロットを受信する。いくつかの態様では、パイロットは復調基準信号(DMRS)であり得る。
【０１６４】
いくつかの実装形態では、図17の受信するための回路/モジュール1720がブロック1904の動作を実行する。いくつかの実装形態では、図17の受信するためのコード1728は、ブロック1904の動作を実行するために実行される。
【０１６５】
ブロック1906において、装置はチャネル推定を生成する。本明細書で論じるように、この動作は受信されたパイロットに基づいてもよい。
【０１６６】
いくつかの実装形態では、図17のチャネル推定を生成するための回路/モジュール1722がブロック1906の動作を実行する。いくつかの実装形態では、図17のチャネル推定を生成するためのコード1730は、ブロック1906の動作を実行するために実行される。
【０１６７】
図20は、本開示のいくつかの態様による、通信のためのプロセス2000を示す。いくつかの実装形態では、プロセス2000は、図12のプロセス1200に加えて(たとえば、それととともに)実行され得る。プロセス2000は、アクセス端末、基地局、または何らかの他の適切な装置の中に位置し得る処理回路(たとえば、図17の処理回路1710)内で行われ得る。いくつかの実装形態では、プロセス2000は、図7の処理回路724によって実行される動作を表す。当然、本開示の範囲内の様々な態様では、プロセス2000は、通信動作をサポートすることが可能な任意の適切な装置によって実装され得る。
【０１６８】
ブロック2002において、装置(たとえば、UE)は、復調基準信号(DMRS)に関するトラフィック対パイロット比(TPR)の表示を受信する。たとえば、UEは、(たとえば、図16のブロック1604とともに上で論じたように)eNBによって送信された表示を受信することができる。いくつかの態様では、TPRは、変調およびコーディング方式(MCS)、ランク、またはレートのうちの少なくとも1つに基づいて決定される。
【０１６９】
いくつかの実装形態では、図17の受信するための回路/モジュール1720がブロック2002の動作を実行する。いくつかの実装形態では、図17の受信するためのコード1728は、ブロック2002の動作を実行するために実行される。
【０１７０】
ブロック2004において、装置は送信電力を選択する。本明細書で論じるように、この選択は、ブロック2002において取得されるTPRに基づく。
【０１７１】
いくつかの実装形態では、図17の送信電力を選択するための回路/モジュール1724がブロック2004の動作を実行する。いくつかの実装形態では、図17の送信電力を選択するためのコード1732は、ブロック2004の動作を実行するために実行される。
【０１７２】
ブロック2006において、装置は、選択された送信電力に従って信号を送信する。たとえば、装置は、ブロック2004において選択された送信電力レベルでトラフィックを送信することができる。
【０１７３】
いくつかの実装形態では、図17の送信するための回路/モジュール1726がブロック2006の動作を実行する。いくつかの実装形態では、図17の送信するためのコード1734は、ブロック2006の動作を実行するために実行される。
【０１７４】
図21は、本開示のいくつかの態様において出現し得るような、複数の通信エンティティを含むワイヤレス通信ネットワーク2100の概略図である。本明細書で説明するように、スケジューリングエンティティまたはスケジュールされているエンティティは、基地局、スマートフォン、スモールセル、または他のエンティティ内に存在してよく、またはその一部であってよい。従属エンティティまたはメッシュノードは、スマートアラーム、リモートセンサー、スマートフォン、電話、スマートメータ、携帯情報端末(PDA)、パーソナルコンピュータ、メッシュノード、および/またはタブレットコンピュータ内に存在してよく、またはその一部であってよい。当然、示したデバイスまたは構成要素は例にすぎず、任意の適切なノードまたはデバイスが本開示の範囲内のワイヤレス通信ネットワーク内に出現し得る。
【０１７５】
追加の態様
図に示す構成要素、ステップ、特徴および/または機能のうちの1つまたは複数は、単一の構成要素、ステップ、特徴、または機能に再構成および/または結合されてよく、または、いくつかの構成要素、ステップまたは機能に組み込まれてもよい。追加の要素、構成要素、ステップ、および/または機能も、本明細書で開示される新規の特徴から逸脱することなく追加され得る。図に示す装置、デバイス、および/または構成要素は、本明細書で説明する方法、特徴、またはステップのうちの1つまたは複数を実行するように構成され得る。本明細書で説明する新規のアルゴリズムはまた、効率的にソフトウェアで実装されてよく、かつ/またはハードウェアに埋め込まれてよい。
【０１７６】
開示した方法におけるステップの具体的な順序または階層は、例示的プロセスの例示であることを理解されたい。設計の選好に基づいて、方法におけるステップの具体的な順序または階層は再構成され得ることを理解されたい。添付の方法クレームは、様々なステップの要素を例示的順序で提示したものであり、その中で特に記載されていない限り、提示された特定の順序または階層に限定されることを意図するものではない。本開示から逸脱することなく、追加の要素、構成要素、ステップ、および/または機能が追加されることもあり、または利用されないことがある。
【０１７７】
いくつかの実装形態および図に対して本開示の特徴が論じられたが、本開示のすべての実装形態は、本明細書で論じられる有利な特徴のうちの1つまたは複数を含み得る。言い換えれば、1つまたは複数の実装形態が、いくつかの有利な特徴を有するものとして論じられたが、そのような特徴のうちの1つまたは複数はまた、本明細書で論じられる様々な実装形態のいずれかに従って使用され得る。同様に、例示的な実装形態がデバイス、システム、または方法の実装形態として本明細書で論じられたが、そのような例示的な実装形態が様々なデバイス、システム、および方法として実装され得ることを理解されたい。
【０１７８】
また、少なくともいくつかの実装形態が、フローチャート、流れ図、構造図、またはブロック図として表されるプロセスとして説明されたことに留意されたい。フローチャートは動作を逐次プロセスとして説明する場合があるが、動作の多くを並列にまたは同時に実行することができる。さらに、動作の順序は、並べ替えられてもよい。プロセスは、その動作が完了するときに終了する。いくつかの態様では、プロセスは、方法、関数、手順、サブルーチン、サブプログラムなどに対応し得る。プロセスが関数に対応するとき、その終了は、呼出し側関数またはメイン関数への関数の戻りに対応する。本明細書で説明する様々な方法のうちの1つまたは複数は、機械可読、コンピュータ可読、および/またはプロセッサ可読記憶媒体内に記憶され得るプログラミング(たとえば、命令および/またはデータ)によって部分的または完全に実装され、1つまたは複数のプロセッサ、マシン、および/またはデバイスによって実行され得る。
【０１７９】
さらに、本明細書で開示した実装形態に関して説明した様々な例示的論理ブロック、モジュール、回路、およびアルゴリズムステップは、ハードウェア、ソフトウェア、ファームウェア、ミドルウェア、マイクロコード、またはそれらの任意の組合せとして実装されてもよいことが当業者には諒解されよう。この互換性を明確に示すために、様々な例示的構成要素、ブロック、モジュール、回路、およびステップについて、全般的にそれらの機能に関して上記で説明した。そのような機能がハードウェアとして実装されるかソフトウェアとして実装されるかは、特定の適用例および全体的なシステムに課された設計制約に依存する。
【０１８０】
本開示では、「例示的」という言葉は、「例、事例、または例示としての役割を果たすこと」を意味するために使用される。「例示的」として本明細書で説明するいずれの実装形態または態様も、必ずしも本開示の他の態様よりも好ましいまたは有利であると解釈されるべきではない。同様に、「態様」という用語は、本開示のすべての態様が、開示した特徴、利点、または動作モードを含むことを必要としない。「結合される」という用語は、本明細書では、2つの物体間の直接的または間接的な結合を指すために使用される。たとえば、物体Aが物体Bに物理的に接触し、物体Bが物体Cに接触する場合、物体Aおよび物体Cは、互いに物理的に直接接触していなくても、それでも互いに結合されていると見なすことができる。たとえば、第1のダイがパッケージ内の第2のダイに物理的に直接接触していない場合でも、第1のダイは第2のダイに結合されている可能性がある。「回路(circuit)」および「回路(circuitry)」という用語は広義に使用され、電子回路のタイプに関する制限なく、接続され構成されると本開示で説明した機能の実行を可能にする電気デバイスおよび導体のハードウェア実装と、プロセッサによって実行されると本開示で説明した機能の実行を可能にする情報および命令のソフトウェア実装の、両方を含むものとする。
【０１８１】
本明細書では、「決定する」という用語は、多種多様な動作を包含する。たとえば、「決定すること」は、算出すること、計算すること、処理すること、導出すること、調査すること、検索すること(たとえば、テーブル、データベース、または別のデータ構造内を検索すること)、確認することなどを含み得る。さらに、「決定すること」は、受信すること(たとえば、情報を受信すること)、アクセスすること(たとえば、メモリ内のデータにアクセスすること)などを含み得る。さらに、「決定すること」は、解決すること、選択すること、選ぶこと、確立することなどを含むことができる。
【０１８２】
上記の説明は、本明細書において説明した種々の態様を任意の当業者が実践できるようにするために提供される。これらの態様に対する種々の変更形態は、当業者に容易に明らかになり、本明細書において規定する一般原理は、他の態様に適用される場合がある。したがって、特許請求の範囲は、本明細書に示された態様に限定されるものではなく、特許請求の範囲の文言と整合するすべての範囲を与えられるものであり、単数形の要素への言及は、「唯一の」と明記されていない限り、「唯一の」を意味するものではなく、「1つまたは複数の」を意味するものである。別段に明記されていない限り、「いくつか」という用語は、1つまたは複数を指す。項目のリスト「の少なくとも1つ」または「のうちの少なくとも1つまたは複数」または「のうちの1つまたは複数」に言及する句は、単一のメンバーを含むそれらの項目の任意の組合せを指す。一例として、「a、b、またはcのうちの少なくとも1つ」は、a、b、c、aおよびb、aおよびc、bおよびc、a、bおよびc、2a、2b、2c、2aおよびb、aおよび2b、2aおよび2bなどを包含するものとする。当業者にとって既知の、または後に既知となる、本開示全体を通じて説明した種々の態様の要素に対するすべての構造的および機能的均等物が、参照により本明細書に明白に組み込まれ、特許請求の範囲によって包含されることが意図される。さらに、本明細書において開示されるものは、そのような開示が特許請求の範囲において明示的に列挙されているかどうかにかかわらず、公に供されることは意図されていない。いかなるクレーム要素も、「のための手段」という句を使用して要素が明確に列挙されていない限り、または方法クレームの場合、「のためのステップ」という句を使用して要素が列挙されていない限り、米国特許法第112条第6項の規定に基づいて解釈されるべきではない。
【０１８３】
このため、本明細書で説明し、添付の図面に示す例に関連する様々な特徴は、本開示の範囲から逸脱することなく、異なる例および実装形態で実装され得る。したがって、いくつかの特定の構成および配置について説明し、添付の図面に示したが、説明した実装形態への様々な他の追加および修正、ならびにそうした実装形態からの削除が当業者に明らかであるので、そのような実装形態は例示にすぎず、本開示の範囲を限定するものではない。したがって、本開示の範囲は、以下の特許請求の範囲の文言、および法的均等物によってのみ決定される。
【符号の説明】
【０１８４】
100  アクセスネットワーク
102  セル
104  セル
106  セル
112  アンテナグループ
114  アンテナグループ
116  アンテナグループ
118  アンテナグループ
120  アンテナグループ
122  アンテナグループ
124  アンテナグループ
126  アンテナグループ
128  アンテナグループ
130  AT
132  AT
134  AT
136  AT
138  AT
140  AT
142  アクセスポイント(AP)
144  AP
146  AP
200  システム
210  アクセスポイント(AP)
212  データソース
220  送信プロセッサ
232  送信機
234A〜234N  アンテナ
235  受信機
239  データシンク
240  コントローラまたはプロセッサ(コントローラ/プロセッサ)
242  メモリ
250  アクセス端末(AT)
252A〜252N  アンテナ
254  受信機
256  送信機
272  データシンク
278  データソース
290  コントローラ/プロセッサ
292  メモリ
300  通信システム
302  UE
304  基地局(BS)
306  送信機
308  送信機
310  受信機
312  受信機
314  ダウンリンク(DL)
316  アップリンク(UL)
318  ULシグナリング
320  DLシグナリング
322  処理回路
324  処理回路
326  パイロット構造の表示
328  パイロット構造表示およびパイロット
330  チャネル指定
332  チャネル推定
400  パイロット構造
402  送信期間
404  第1のTTI
406  パイロットシンボル
408  余分のパイロットシンボル
500  通信システム
502  UE
504  基地局(BS)
506  送信機
508  送信機
510  受信機
512  受信機
514  ダウンリンク(DL)
516  アップリンク(UP)
518  ULシグナリング
520  DLシグナリング
522  処理回路
524  処理回路
526  TTIフィルタリング表示
528  TTIフィルタリング表示およびパイロット
530  チャネル推定
530  チャネル推定
600  通信システム
602  UE
604  基地局(BS)
606  送信機
608  送信機
610  受信機
612  受信機
614  ダウンリンク(DL)
616  アップリンク(UL)
618  ULシグナリング
620  DLシグナリング
622  処理回路
624  処理回路
626  PRBバンドリング表示
628  PRBバンドリング表示およびパイロット
630  チャネル推定
632  チャネル推定
700  通信システム
702  UE
704  基地局(BS)
706  送信機
708  送信機
710  受信機
712  受信機
714  ダウンリンク(DL)
716  アップリンク(UL)
718  ULシグナリング
720  DLシグナリング、ダウンリンクシグナリング
722  処理回路
724  処理回路
726  TPR表示
728  TPR表示およびパイロット
730  制御信号
732  チャネル推定
800  装置
802  通信インターフェース(たとえば、少なくとも1つのトランシーバ)
804  記憶媒体
806  ユーザインターフェース
808  メモリデバイス(たとえば、メモリ回路)
810  処理回路(たとえば、少なくとも1つのプロセッサ)
814  送信機
816  受信機
818  パイロット関連の情報
820  パイロット構造を決定するための回路/モジュール
822  送信するための回路/モジュール
824  ビーム形成構成を変更するための回路/モジュール
826  パイロット構造を決定するためのコード
828  送信するためのコード
830  ビーム形成構成を変更するためのコード
900  プロセス
1000  プロセス
1100  装置
1102  通信インターフェース(たとえば、少なくとも1つのトランシーバ)
1104  記憶媒体
1106  ユーザインターフェース
1108  メモリデバイス
1110  処理回路(たとえば、少なくとも1つのプロセッサ)
1112  アンテナ
1114  送信機
1116  受信機
1118  パイロット関連の情報
1120  受信するための回路/モジュール
1122  チャネル推定を生成するための回路/モジュール
1124  復号するための回路/モジュール
1326  受信するためのコード
1128  チャネル推定を生成するためのコード
1130  復号するためのコード
1200  プロセス
1300  装置
1302  通信インターフェース
1304  記憶媒体
1308  メモリデバイス
1310  処理回路
1314  送信機
1320  パイロット構造が連続TTIに関して指定されていると決定するための回路/モジュール
1322  送信するための回路/モジュール
1324  PRBバンドルを特定するための回路/モジュール
1326  パイロット構造を選択するための回路/モジュール
1328  TPRを決定するための回路/モジュール
1330  パイロット構造が連続TTIに関して指定されていると決定するためのコード
1332  送信するためのコード
1334  PRBバンドルを特定するためのコード
1336  パイロット構造を選択するためのコード
1338  TPRを決定するためのコード
1400  プロセス
1500  プロセス
1600  プロセス
1700  装置
1702  通信インターフェース(少なくとも1つのトランシーバ)
1704  記憶媒体
1706  ユーザインターフェース
1708  メモリデバイス
1710  処理回路(たとえば、少なくとも1つのプロセッサ)
1712  アンテナ
1714  送信機
1716  受信機
1718  パイロット関連の情報
1720  受信するための回路/モジュール
1722  チャネル推定を生成するための回路/モジュール
1724  送信電力を選択するための回路/モジュール
1726  送信するための回路/モジュール
1728  受信するためのコード
1730  チャネル推定を生成するためのコード
1732  送信電力を選択するためのコード
1734  送信するためのコード
1800  プロセス
1900  プロセス
2000  プロセス
【図１】
2019092210.tif 000003
【図２】
2019092210.tif 000004
【図３】
2019092210.tif 000005
【図４】
2019092210.tif 000006
【図５】
2019092210.tif 000007
【図６】
2019092210.tif 000008
【図７】
2019092210.tif 000009
【図８】
2019092210.tif 000010
【図９】
2019092210.tif 000011
【図１０】
2019092210.tif 000012
【図１１】
2019092210.tif 000013
【図１２】
2019092210.tif 000014
【図１３】
2019092210.tif 000015
【図１４】
2019092210.tif 000016
【図１５】
2019092210.tif 000017
【図１６】
2019092210.tif 000018
【図１７】
2019092210.tif 000019
【図１８】
2019092210.tif 000020
【図１９】
2019092210.tif 000021
【図２０】
2019092210.tif 000022
【図２１】
2019092210.tif 000023
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
少なくともユーザ装置(UE)に関連するレートに基づいて復調基準信号(DMRS)に関する前記UEのためのトラフィック対パイロット比(TPR)を決定するように構成された処理回路と、
前記処理回路に結合され、前記TPRの表示を前記UEに送信するように構成された通信インターフェースと
を含む、装置。
【請求項２】
前記処理回路が、前記UEのためのチャネル条件の情報を取得し、前記チャネル条件にさらに基づいて前記UEのための前記TPRを選択するようにさらに構成される、請求項1に記載の装置。
【請求項３】
前記処理回路が、少なくとも前記レートに基づいてDMRS電力を選択し、前記DMRS電力に基づいて前記TPRを決定するようにさらに構成される、請求項1に記載の装置。
【請求項４】
前記処理回路が、パイロット密度が送信期間内で経時的に異なるパイロット構造を決定するようにさらに構成され、
前記通信インターフェースが、前記パイロット構造の表示を送信するようにさらに構成される、請求項1に記載の装置。
【請求項５】
前記送信期間の始端における前記パイロット密度が、前記送信期間の後の部分における前記パイロット密度よりも高い、請求項4に記載の装置。
【請求項６】
前記パイロット密度が、前記送信期間内の異なる送信時間間隔(TTI)によって異なる、請求項4に記載の装置。
【請求項７】
前記パイロット密度が、前記送信期間の間の周波数に関してさらに異なる、請求項4に記載の装置。
【請求項８】
前記処理回路が、
ビーム形成構成を変更し、
前記変更されたビーム形成構成の結果として前記パイロット構造を決定する
ようにさらに構成される、請求項4に記載の装置。
【請求項９】
前記処理回路が、特定のパイロット構造が連続送信時間間隔(TTI)に関して指定されていると決定するようにさらに構成され、
前記通信インターフェースが、特定のパイロット構造が連続TTIに関して指定されているという決定の結果として、チャネル推定のために前のTTIからのパイロットが使用され得るという表示を送信するようにさらに構成される
請求項4に記載の装置。
【請求項１０】
前記処理回路が、少なくとも1つの物理リソースブロック(PRB)を含むPRBバンドルを特定するようにさらに構成され、
前記処理回路が、前記特定されたPRBバンドルに基づいて別のパイロット構造を選択するようにさらに構成され、
前記通信インターフェースが、前記選択された別のパイロット構造の表示を送信するようにさらに構成される
請求項4に記載の装置。
【請求項１１】
前記別のパイロット構造を選択するために、前記処理回路が、前記PRBバンドルの帯域幅に基づいてパイロットに関する間隔を選択するようにさらに構成される、請求項10に記載の装置。
【請求項１２】
前記選択された別のパイロット構造の前記表示が、プリコーディング行列インジケータ(PMI)を含む、請求項10に記載の装置。
【請求項１３】
前記選択された別のパイロット構造の前記表示が、近傍リソースブロック(RB)PMI間の差異を示す、請求項10に記載の装置。
【請求項１４】
ワイヤレス通信の方法であって、
少なくともユーザ装置(UE)に関連するレートに基づいて復調基準信号(DMRS)に関する前記UEのためのトラフィック対パイロット比(TPR)を決定するステップと、
前記TPRの表示を前記UEに送信するステップと
を含む、方法。
【請求項１５】
前記TPRを決定するステップが、
前記UEのためのチャネル条件の情報を取得するステップと、
前記チャネル条件にさらに基づいて前記UEのための前記TPRを選択するステップと
をさらに含む、請求項14に記載の方法。
【請求項１６】
前記TPRを決定するステップが、
少なくとも前記レートに基づいてDMRS電力を選択するステップと、
前記DMRS電力に基づいて前記TPRを決定するステップと
をさらに含む、請求項14に記載の方法。
【請求項１７】
パイロット密度が送信期間内で経時的に異なるパイロット構造を決定するステップと、
前記パイロット構造の表示を送信するステップと
をさらに含む、請求項14に記載の方法。
【請求項１８】
前記送信期間の始端における前記パイロット密度が、前記送信期間の後の部分における前記パイロット密度よりも高い、請求項17に記載の方法。
【請求項１９】
前記パイロット密度が、前記送信期間内の異なる送信時間間隔(TTI)によって異なる、請求項17に記載の方法。
【請求項２０】
前記パイロット密度が、前記送信期間の間の周波数に関してさらに異なる、請求項17に記載の方法。
【請求項２１】
ビーム形成構成を変更するステップと
前記変更されたビーム形成構成の結果として前記パイロット構造を決定するステップと
をさらに含む、請求項17に記載の方法。
【請求項２２】
特定のパイロット構造が連続送信時間間隔(TTI)に関して指定されていると決定するステップと、
特定のパイロット構造が連続TTIに関して指定されているという決定の結果として、チャネル推定のために前のTTIからのパイロットが使用され得るという表示を送信するステップと
をさらに含む、請求項17に記載の方法。
【請求項２３】
少なくとも1つの物理リソースブロック(PRB)を含むPRBバンドルを特定するステップと、
前記特定されたPRBバンドルに基づいて別のパイロット構造を選択するステップと、
前記選択された別のパイロット構造の表示を送信するステップと
をさらに含む、請求項17に記載の方法。
【請求項２４】
ワイヤレス通信のための装置であって、
少なくともユーザ装置(UE)に関連するレートに基づいて復調基準信号(DMRS)に関する前記UEのためのトラフィック対パイロット比(TPR)を決定するための手段と、
前記TPRの表示を前記UEに送信するための手段と
を含む、装置。
【請求項２５】
前記TPRを決定するための手段が、
前記UEのためのチャネル条件の情報を取得するための手段と、
前記チャネル条件にさらに基づいて前記UEのための前記TPRを選択するための手段と
をさらに含む、請求項24に記載の装置。
【請求項２６】
前記TPRを決定するための手段が、
少なくとも前記レートに基づいてDMRS電力を選択するための手段と、
前記DMRS電力に基づいて前記TPRを決定するための手段と
をさらに含む、請求項24に記載の装置。
【請求項２７】
パイロット密度が送信期間内で経時的に異なるパイロット構造を決定するための手段と、
前記パイロット構造の表示を送信するための手段と
をさらに含む、請求項24に記載の装置。
【請求項２８】
ビーム形成構成を変更するための手段と、
前記変更されたビーム形成構成の結果として前記パイロット構造を決定するための手段と
をさらに含む、請求項27に記載の装置。
【請求項２９】
特定のパイロット構造が連続送信時間間隔(TTI)に関して指定されていると決定するための手段と、
特定のパイロット構造が連続TTIに関して指定されているという決定の結果として、チャネル推定のために前のTTIからのパイロットが使用され得るという表示を送信するための手段と
をさらに含む、請求項27に記載の装置。
【請求項３０】
少なくとも1つの物理リソースブロック(PRB)を含むPRBバンドルを特定するための手段と、
前記特定されたPRBバンドルに基づいて別のパイロット構造を選択するための手段と、
前記選択された別のパイロット構造の表示を送信するための手段と
をさらに含む、請求項27に記載の装置。
【外国語明細書】
2019092210000001.pdf